(57)【特許請求の範囲】
【請求項１】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体に記録するようにしたテレビジョン信号の記録装置であって、
上記コンポジット信号が供給され、上記輝度信号と上記搬送色信号とを分離するためのＹ／Ｃ分離手段と、
上記Ｙ／Ｃ分離手段の輝度信号出力に対して上記変調解像度補強信号を復調して成る解像度補強信号を加算する手段と、
上記搬送色信号を復調して色差信号を出力する手段と、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録するためのディジタルビデオ信号記録手段と、
上記輝度信号のリファレンス信号をサンプリングし、サンプリング値の情報をビデオトラック内の予備データ領域に保存する手段と
を備えたテレビジョン信号の記録装置。
【請求項２】
記録媒体から再生された再生信号から得られるコンポーネント信号を、輝度信号と、搬送色信号と、上記搬送色信号の帯域内に含まれ、且つ所定のライン番号に含まれる変調解像度補強信号とが多重化されたコンポジット信号へ変換して出力するようにしたテレビジョン信号の再生装置であって、
解像度補強信号を含むアナログまたはディジタル輝度信号と、二つのアナログまたはディジタル色差信号とからなるコンポーネント信号を記録媒体から再生するためのディジタルビデオ信号再生手段と、
上記解像度補強信号を分離するための手段と、
上記色差信号または搬送色信号と上記分離された解像度補強信号または変調解像度補強信号とを加算するための手段と、
ビデオトラック内の予備データ領域から再生されたデータを輝度信号のリファレンス信号を示す値として再生信号中の所定ラインに付加する手段と
を備えたテレビジョン信号の再生装置。
【請求項３】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体に記録し、上記記録媒体から再生された再生信号から得られるコンポーネント信号を、上記コンポジット信号へ変換して出力するようにしたテレビジョン信号の記録再生装置であって、
上記コンポジット信号が供給され、上記輝度信号と上記搬送色信号とを分離するためのＹ／Ｃ分離手段と、
上記Ｙ／Ｃ分離手段の輝度信号出力に対して上記変調解像度補強信号を復調して成る解像度補強信号を加算する手段と、
上記搬送色信号を復調して色差信号を出力する手段と、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記輝度信号のリファレンス信号をサンプリングし、サンプリング値の情報をビデオトラック内の予備データ領域に保存し、上記記録信号を記録媒体に記録し、上記コンポーネント信号を上記記録媒体から再生するためのディジタルビデオ信号記録再生手段と、
上記解像度補強信号を分離するための手段と、
上記色差信号または搬送色信号と上記分離された解像度補強信号または変調解像度補強信号とを加算するための手段と、
ビデオトラック内の予備データ領域から再生されたデータを輝度信号のリファレンス信号を示す値として再生信号中の所定ラインに付加する手段と
を備えたテレビジョン信号記録再生装置。
【請求項４】
請求項１、請求項２または請求項３に記載の装置において、
上記コンポジット信号は、レターボックス形式で伝送される信号であり、
上記レターボックス形式の無画部の所定のライン番号の位置に対して、上記解像度補強信号が配置されることを特徴とする装置。
【請求項５】
請求項１、請求項２または請求項３に記載の装置において、
上記コンポジット信号は、レターボックス形式で伝送される信号であり、
上記レターボックス形式の無画部の所定のライン番号の位置に対して、識別制御信号が配置されることを特徴とする装置。
【請求項６】
請求項１または請求項３に記載の装置において、
上記輝度信号のリファレンス信号が取得不能な場合、上記予備データ領域のデータをサンプリング値の情報に代えて（ＦＦｈ）とすることを特徴とした装置。
【請求項７】
請求項１または請求項３に記載の装置において、
所定ラインに送られてくる識別制御信号を抽出し、抽出された情報を予備データ領域に保存するようにしたことを特徴とする装置。
【請求項８】
請求項７に記載の装置において、
上記識別制御信号を抽出する処理の後で上記識別制御信号が位置する所定のラインを黒のレベルの信号にすることを特徴とする装置。
【請求項９】
請求項２または請求項３に記載の装置において、
上記予備データ領域から再生された輝度信号のリファレンス信号のデータが（ＦＦｈ）であれば、再生時に輝度信号のリファレンス信号を白１００％のレベルにして再生信号中の所定ラインに挿入することを特徴とする装置。
【請求項１０】
請求項２または請求項３に記載の装置において、
上記輝度信号を出力する輝度信号出力端子と上記搬送色信号を出力する搬送色信号出力端子を有し、
上記解像度補強信号は、上記搬送色信号出力端子から出力されることを特徴とする装置。
【請求項１１】
請求項１または３に記載の装置において、
上記加算手段は、上記解像度補強信号に所定のＤＣセットアップ値を付加する手段を含むことを特徴とする装置。
【請求項１２】
請求項２または３に記載の装置において、
上記解像度補強信号を分離するための手段は、記録時に上記所定のＤＣセットアップ値を付加された解像度補強信号から付加された該ＤＣセットアップ値を除去する手段を含むことを特徴とする装置。
【請求項１３】
請求項１１または請求項１２に記載の装置において、
上記解像度補強信号のレベルは、ディジタル値表現において、基準値が５４であり最大値が１０８であり上記ＤＣセットアップ値が６４であることを特徴とする装置。
【請求項１４】
請求項１１または請求項１２に記載の装置において、
上記解像度補強信号のレベルは、ディジタル値表現において、基準値が２７であり最大値が５４であり上記ＤＣセットアップ値が３２であることを特徴とする装置。
【請求項１５】
請求項１１または請求項１２に記載の装置において、
上記解像度補強信号のレベルは、ディジタル値表現において、基準値が１０８であり最大値が２１６であり上記ＤＣセットアップ値が１２８であることを特徴とする装置。
【請求項１６】
請求項１、請求項２または請求項３に記載の装置において、
上記テレビジョン信号の方式は、６２５本／５０Ｈｚであることを特徴とした装置。
【請求項１７】
請求項１、請求項２または請求項３に記載の装置において、
上記テレビジョン信号の方式は、５２５本／６０Ｈｚであることを特徴とした装置。
【請求項１８】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体に記録するようなテレビジョン信号の記録方法であって、
上記コンポジット信号が供給され、上記輝度信号と上記搬送色信号とを分離するためのＹ／Ｃ分離のステップと、
上記Ｙ／Ｃ分離のステップで得られた輝度信号出力に対して上記変調解像度補強信号を復調して成る解像度補強信号を加算するステップと、
上記搬送色信号を復調して色差信号を出力するステップと、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録するためのディジタルビデオ信号記録のステップと、
上記輝度信号のリファレンス信号をサンプリングし、サンプリング値の情報をビデオトラック内の予備データ領域に保存するステップと
からなるテレビジョン信号の記録方法。
【請求項１９】
記録媒体から再生された再生信号から得られるコンポーネント信号を、輝度信号と、搬送色信号と、上記搬送色信号の帯域内に含まれ、且つ所定のライン番号に含まれる変調解像度補強信号とが多重化されたコンポジット信号へ変換して出力するようにしたテレビジョン信号の再生方法であって、
解像度補強信号を含むアナログまたはディジタル輝度信号と、二つのアナログまたはディジタル色差信号とからなるコンポーネント信号を記録媒体から再生するためのディジタルビデオ信号再生のステップと、
上記解像度補強信号を分離するためのステップと、
上記色差信号または搬送色信号と上記分離された解像度補強信号または変調解像度補強信号とを加算するためのステップと、
ビデオトラック内の予備データ領域から再生されたデータを輝度信号のリファレンス信号を示す値として再生信号中の所定ラインに付加するステップと
からなるテレビジョン信号の再生方法。
【請求項２０】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体に記録し、上記記録媒体から再生された再生信号から得られるコンポーネント信号を、上記コンポジット信号へ変換して出力するようにしたテレビジョン信号の記録再生方法であって、
上記コンポジット信号が供給され、上記輝度信号と上記搬送色信号とを分離するためのＹ／Ｃ分離のステップと、
上記Ｙ／Ｃ分離から得られた輝度信号出力に対して上記変調解像度補強信号を復調して成る解像度補強信号を加算するステップと、
上記搬送色信号を復調して色差信号を出力するステップと、
上記解像度補強信号を含むアナログまたはディジタル輝度信号と、二つのアナログまたはディジタル色差信号とからなるコンポーネント信号が入力され、上記コンポーネント信号に対して記録処理を施すことによって記録信号を生成し、上記輝度信号のリファレンス信号をサンプリングし、サンプリング値の情報をビデオトラック内の予備データ領域に保存し、上記記録信号を記録媒体に記録し、上記コンポーネント信号を記録媒体から再生するためのディジタルビデオ信号記録再生のステップと、
上記解像度補強信号を分離するためのステップと、
上記色差信号または搬送色信号と上記分離された解像度補強信号または変調解像度補強信号とを加算するためのステップと、
ビデオトラック内の予備データ領域から再生されたデータを輝度信号のリファレンス信号を示す値として再生信号中の所定ラインに付加するステップと
を備えたテレビジョン信号記録再生方法。
【発明の詳細な説明】
【０００１】
【産業上の利用分野】
この発明は、テレビジョン信号、例えばＰＡＬｐｌｕｓ方式に準拠したテレビジョン信号を、ディジタル的に記録／再生する装置および方法に関する。
【０００２】
【従来の技術】
国内外におけるテレビジョン放送では、現行の放送と両立性を保ちつつ、１チャンネルの周波数帯域、例えば６ＭＨｚの中で、高画質化および画面のワイド化が図られている。これは、現行の放送の方式に対し、そのアスペクト比（画面の縦横の長さの比）が（９：１６）と、横長なワイド画面であることが大きな特徴とされている。現行でＰＡＬ方式が採用されている西欧諸国などにおいては、この次世代テレビジョン放送の方式としてＰＡＬｐｌｕｓ方式が提案されている。
【０００３】
図２９にこのＰＡＬｐｌｕｓ方式で受信された画像の例を示す。図２９Ａは、現行のアスペクト比が（３：４）の画面のテレビジョン受像機に、ＰＡＬｐｌｕｓ方式で放送された映像を映出した様子である。現行の、ＰＡＬｐｌｕｓのデコーダが装備されていず、アスペクト比が３：４のテレビジョン受像機では、図２９Ａのように、主画部の上下に無画部が配置された画面となる。これは、ＰＡＬｐｌｕｓ方式ではレターボックス形式で信号が伝送されているためである。この映像をＰＡＬｐｌｕｓに対応したデコーダを備えたテレビジョン受像機に映出させると、図２９Ｂのようになり、ワイドな画面を楽しむことができる。
【０００４】
レターボックス形式で主画部のみを伝送した場合、画面高が現行のテレビジョン受像機と一致する画面サイズで考えると、水平方向の空間解像度および垂直方向の空間解像度が何れも約３／４に低下してしまう。この問題を解決するために、ＰＡＬｐｌｕｓでは、垂直解像度補強信号（ヘルパー信号と称される）を伝送している。
【０００５】
このヘルパー信号およびレターボックスの信号を図３０に示す。一方、このヘルパー信号とは別に、どのようにレターボックスの画面の主画部あるいは上下の無画部に信号が記録されているかを表す信号がヘルパー信号およびレターボックスの信号とは別のラインに記録されている。この様子を図３１に示す。
【０００６】
それらの信号のうち、ライン２３には、図３２に示すように、アスペクト比やヘルパー信号の有無を示すＷＳＳ（Ｗｉｄｅ  Ｓｃｒｅｅｎ  Ｓｉｇｎａｌｉｎｇ）信号が設けられ、更にヘルパー信号がある場合には、そのラインの後半に、ヘルパー信号の基準信号であるヘルパーリファレンスバースト信号が設けられる。
【０００７】
また、ライン６２３には、図３３に示すように、白１００％のレベルを示すリファレンス信号が送られてくる。放送局から送出された電波は、テレビジョン受像機に到達するまでの間に、さまざまな妨害を受け減衰させられている。テレビジョン受像機に受信されたこの電波は、上述の白１００％のリファレンス信号を基に、ペデスタルレベルからシンクチップレベルまでのレベルが規定の電圧になるように、ＡＧＣによりゲインコントロールされる。
【０００８】
このＰＡＬｐｌｕｓ信号の、伝送信号のラインおよび画素割り当ての詳細を図３４に示す。この図において、横軸が１３．５ＭＨｚでサンプリングした場合のサンプル番号、縦軸がライン番号を表す。横軸に関しては、サンプル番号１０〜７１１までが画面の有効エリアである。第２３ラインに対して、ワイド画面であるか否か、また、後述するヘルパー信号の有無の識別等の識別、制御用の信号であるＷＳＳ（Ｗｉｄｅ  Ｓｃｒｅｅｎ  Ｓｉｇｎａｌｌｉｎｇ）ビット、およびヘルパー基準バースト信号が割り当てられている。このヘルパー基準バースト信号は、−Ｕ位相の色副搬送波信号である。また、第６２３ラインにはホワイトレベルおよびブラックレベルの基準信号が割り当てられている。第２４〜５９ライン、および第３３６〜３７１ラインが上部無画部であり、第２７５〜３１０ライン、および第５８７〜６２２ラインが下部無画部である。また、これら上下の無画部に挟まれる形の、第６０〜２７４ライン、および第３７２〜５８６ラインが主画部である。
【０００９】
上述のヘルパー信号は、上部無画部および下部無画部に挿入される。なお、ＰＡＬｐｌｕｓ方式では、水平解像度については特に対策を施していない。
【００１０】
図３５Ａに、このＰＡＬｐｌｕｓ方式による輝度信号Ｙおよび色信号Ｃの信号スペクトルを示す。Ｙ信号に対して、色副搬送波周波数４．４３ＭＨｚで変調されたＣ信号が周波数多重されている。また、図３５Ｂにヘルパー信号の信号スペクトルを示す。この信号も色副搬送波周波数４．４３ＭＨｚでＵ軸変調されており、約０．５〜５ＭＨｚまでの帯域を有している。
【００１１】
主画部は、６２５本（有効走査線５７６本）順次走査の画素を４−３の走査線変換により有効走査線４３０本の信号に変換した後、所定の垂直ローパスフィルタ処理を行い、飛び越し走査に変換したものである。このとき、４−３変換されているために垂直解像度が劣化している。そのため、劣化した垂直解像度を補強するために、上述したヘルパー信号が伝送される。
【００１２】
また、映像信号およびオーディオ信号を、ディジタル信号の形態でカセットテープに記録し、また再生するようにした、ディジタルＶＣＲ（デジタルビデオカセットレコーダ）が提案されている。この方式に使用される磁気テープは、幅１／４インチとされており、カセットに収められている。このカセットは、２種類の大きさのものが用意されており、標準カセットで横１２５ｍｍ×縦７８ｍｍ×高さ１４．６ｍｍ、小型カセットとして横６６ｍｍ×縦４８ｍｍ×高さ１２．２ｍｍとされている。また、記録時間は、現行テレビジョン信号を記録する場合で、標準カセットで最大４時間３０分、小型カセットで最大１時間とされている。
【００１３】
ディジタルＶＣＲへの映像入出力信号は、ＣＣＩＲ（国際無線通信諮問委員会、現ＩＴＵ−ＲＳ）勧告６０１の（４：２：２）コンポーネント信号である。この信号がディジタルＶＣＲに入力され、サンプリング周波数変換回路により所定のコンポーネント信号に変換される。これは例えば、日本や米国等で使用されているＮＴＳＣ方式などのような入力信号が５２５本／６０Ｈｚの場合には、（４：１：１）コンポーネント信号とされ、また西欧や中国などで使用されているＰＡＬ方式のような入力信号が６２５本／５０Ｈｚの場合には、色差信号ＣＲ  およびＣＢ  が線順次化された（４：２：０）コンポーネント信号とされる。この変換されたコンポーネント信号は、圧縮され、誤り訂正符号を付加され、記録符号化され上述の磁気テープに記録される。また、このディジタルＶＣＲの記録／再生帯域は、輝度信号で、６．３ＭＨｚを有している。
【００１４】
【発明が解決しようとする課題】
ここで、上述のＰＡＬｐｌｕｓ方式によるテレビジョン信号をディジタルＶＣＲのテープ上に記録再生する場合について考える。
【００１５】
ディジタルＶＣＲにおいて信号はコンポーネント信号の形態で扱われる。そのため、ＰＡＬｐｌｕｓ信号は、コンポーネント信号に変換されなければならない。このとき、輝度信号Ｙおよび搬送色信号Ｃについては、従来のＰＡＬ信号と何ら変わるところがないため、問題なく記録できる。また、ＰＡＬｐｌｕｓ信号に特有のヘルパー信号は、４．４３ＭＨｚで変調されているため、搬送色信号Ｃと同等に扱われる。ところが、このヘルパー信号は、帯域が１ＭＨｚ程度の搬送色信号Ｃに対して、上述したように帯域が広いため、搬送色信号Ｃとして記録ができない問題がある。
【００１６】
さらに、ディジタルＶＣＲでは、色差信号ＣＲ  （Ｒ−Ｙ）、ＣＢ  （Ｂ−Ｙ）を線順次信号に変換して記録するので、ヘルパー信号を搬送色信号Ｃとして扱ってしまうと、ヘルパー信号が搬送色信号Ｃと同様に間引かれてしまうので、垂直解像度補強の効果が期待できないという問題がある。
【００１７】
したがって、この発明の目的は、例えばＰＡＬｐｌｕｓ方式のような垂直解像度補強信号が多重化されたテレビジョン信号を、ディジタル的に記録／再生できる記録／再生装置および方法を提供することにある。
【００１８】
【課題を解決するための手段】
この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体に記録するようにしたテレビジョン信号の記録装置であって、コンポジット信号が供給され、輝度信号と搬送色信号とを分離するためのＹ／Ｃ分離手段と、Ｙ／Ｃ分離手段の輝度信号出力に対して変調解像度補強信号を復調して成る解像度補強信号を加算する手段と、搬送色信号を復調して色差信号を出力する手段と、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録するためのディジタルビデオ信号記録手段と、輝度信号のリファレンス信号をサンプリングし、サンプリング値の情報をビデオトラック内の予備データ領域に保存する手段とを備えたテレビジョン信号の記録装置である。
【００１９】
また、この発明は、上述した課題を解決するために、記録媒体から再生された再生信号から得られるコンポーネント信号を、輝度信号と、搬送色信号と、搬送色信号の帯域内に含まれ、且つ所定のライン番号に含まれる変調解像度補強信号とが多重化されたコンポジット信号へ変換して出力するようにしたテレビジョン信号の再生装置であって、解像度補強信号を含むアナログまたはディジタル輝度信号と、二つのアナログまたはディジタル色差信号とからなるコンポーネント信号を記録媒体から再生するためのディジタルビデオ信号再生手段と、解像度補強信号を分離するための手段と、色差信号または搬送色信号と分離された解像度補強信号または変調解像度補強信号とを加算するための手段と、ビデオトラック内の予備データ領域から再生されたデータを輝度信号のリファレンス信号を示す値として再生信号中の所定ラインに付加する手段とを備えたテレビジョン信号の再生装置である。
【００２０】
また、この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体に記録し、記録媒体から再生された再生信号から得られるコンポーネント信号を、コンポジット信号へ変換して出力するようにしたテレビジョン信号の記録再生装置であって、コンポジット信号が供給され、輝度信号と搬送色信号とを分離するためのＹ／Ｃ分離手段と、Ｙ／Ｃ分離手段の輝度信号出力に対して変調解像度補強信号を復調して成る解像度補強信号を加算する手段と、搬送色信号を復調して色差信号を出力する手段と、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、輝度信号のリファレンス信号をサンプリングし、サンプリング値の情報をビデオトラック内の予備データ領域に保存し、記録信号を記録媒体に記録し、コンポーネント信号を記録媒体から再生するためのディジタルビデオ信号記録再生手段と、解像度補強信号を分離するための手段と、色差信号または搬送色信号と分離された解像度補強信号または変調解像度補強信号とを加算するための手段と、ビデオトラック内の予備データ領域から再生されたデータを輝度信号のリファレンス信号を示す値として再生信号中の所定ラインに付加する手段とを備えたテレビジョン信号記録再生装置である。
【００２１】
また、この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体に記録するようなテレビジョン信号の記録方法であって、コンポジット信号が供給され、輝度信号と搬送色信号とを分離するためのＹ／Ｃ分離のステップと、Ｙ／Ｃ分離のステップで得られた輝度信号出力に対して変調解像度補強信号を復調して成る解像度補強信号を加算するステップと、搬送色信号を復調して色差信号を出力するステップと、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録するためのディジタルビデオ信号記録のステップと、輝度信号のリファレンス信号をサンプリングし、サンプリング値の情報をビデオトラック内の予備データ領域に保存するステップとからなるテレビジョン信号の記録方法である。
【００２２】
また、この発明は、上述した課題を解決するために、記録媒体から再生された再生信号から得られるコンポーネント信号を、輝度信号と、搬送色信号と、搬送色信号の帯域内に含まれ、且つ所定のライン番号に含まれる変調解像度補強信号とが多重化されたコンポジット信号へ変換して出力するようにしたテレビジョン信号の再生方法であって、解像度補強信号を含むアナログまたはディジタル輝度信号と、二つのアナログまたはディジタル色差信号とからなるコンポーネント信号を記録媒体から再生するためのディジタルビデオ信号再生のステップと、解像度補強信号を分離するためのステップと、色差信号または搬送色信号と分離された解像度補強信号または変調解像度補強信号とを加算するためのステップと、ビデオトラック内の予備データ領域から再生されたデータを輝度信号のリファレンス信号を示す値として再生信号中の所定ラインに付加するステップとからなるテレビジョン信号の再生方法である。
【００２３】
また、この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体に記録し、記録媒体から再生された再生信号から得られるコンポーネント信号を、コンポジット信号へ変換して出力するようにしたテレビジョン信号の記録再生方法であって、コンポジット信号が供給され、輝度信号と搬送色信号とを分離するためのＹ／Ｃ分離のステップと、Ｙ／Ｃ分離から得られた輝度信号出力に対して変調解像度補強信号を復調して成る解像度補強信号を加算するステップと、搬送色信号を復調して色差信号を出力するステップと、解像度補強信号を含むアナログまたはディジタル輝度信号と、二つのアナログまたはディジタル色差信号とからなるコンポーネント信号が入力され、コンポーネント信号に対して記録処理を施すことによって記録信号を生成し、輝度信号のリファレンス信号をサンプリングし、サンプリング値の情報をビデオトラック内の予備データ領域に保存し、記録信号を記録媒体に記録し、コンポーネント信号を記録媒体から再生するためのディジタルビデオ信号記録再生のステップと、解像度補強信号を分離するためのステップと、色差信号または搬送色信号と分離された解像度補強信号または変調解像度補強信号とを加算するためのステップと、ビデオトラック内の予備データ領域から再生されたデータを輝度信号のリファレンス信号を示す値として再生信号中の所定ラインに付加するステップとを備えたテレビジョン信号記録再生方法である。
【００２４】
【作用】
この発明は、上述のような構成を有するために、ＰＡＬｐｌｕｓ信号に含まれるヘルパー信号を、輝度信号として記録できる。それにより、ディジタルＶＣＲにＰＡＬｐｌｕｓ信号を、支障なく記録／再生することができる。
【００２５】
【実施例】
ここで、この発明の一実施例に説明に先んじて、この発明の理解を容易にするために、ディジタルＶＣＲ（ビデオカセットレコーダ）の一例について説明する。この例では、コンポジットディジタルカラービデオ信号が輝度信号Ｙ、色差信号ＣＲ  およびＣＢ  に変換され、ＤＣＴ変換と可変長符号を用いた高能率符号を用いた高能率圧縮方式により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定できる。
【００２６】
ＳＤ方式の場合には、１フレーム当たりのトラック数が１０トラック（６２５ライン／５０Ｈｚの場合）、または１２トラック（５２５ライン／６０Ｈｚの場合）、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）である。
【００２７】
このようなディジタルＶＣＲにおいて、データ管理が容易で、ディジタルＶＣＲを汎用性のある記録再生装置として利用可能とするためのシステムとして、本願出願人は、先にアプリケーションＩＤなるシステムを提案している。このシステムを用いると、ビデオの予備データＶＡＵＸ（Ｖｉｄｅｏ  Ａｕｘｉｌｉａｒｙ  ｄａｔａ）  、オーディオの予備データＡＡＵＸ（Ａｕｄｉｏ  Ａｕｘｉｌｉａｒｙ  ｄａｔａ）やサブコード、およびＭＩＣ（Ｍｅｍｏｒｙ  Ｉｎ  Ｃａｓｓｅｔｔｅ）  と呼ばれるメモリを有するメモリ付カセットの管理が容易となる。そして、パックを用いて、オーディオデータのアフレコやビデオデータのインサートおよびＶブランキング期間に多重されているデータ（放送局の運用信号や医療用信号等）を記録している。
【００２８】
まず、このアプリケーションＩＤシステムに関して説明する。この発明が適用されたディジタルＶＣＲのテープでは、図１２Ａに示すように、テープ上に斜めトラックが形成される。１フレーム当たりのトラック数は、上述のように、ＳＤ方式で１０トラックと１２トラック、ＨＤ方式で２０トラックと２４トラックである。図１２Ｂは、ディジタルＶＣＲに用いられるテープの１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックが設けられる。これは、それ以降のエリアに書かれたデータをアフレコして書き直す場合に、そのエリアの位置決めを正確にするために設けられるものである。
【００２９】
どのようなディジタル信号記録再生応用装置においても、特定エリアのデータの書き換えは必須なので、このトラック入口側のＩＴＩエリアは必ず存在することになる。つまり、ＩＴＩなるエリアに短いシンク長のシンクブロックを多数個書いておき、その中にトラック入口側から順にそのシンク番号を振っておく。アフレコをしようとする時、このＩＴＩエリアのシンクブロックのどれかを検出できれば、そこに書いてある番号から現在のトラック上の位置が正確に判断できる。それに基づいて、アフレコのエリアを確定することができる。一般的に、トラック入口側は、メカ精度等の関係からヘッドの当たりが取り難く不安定である。そのために、シンク長を短くして多数個のシンクブロックを書いておくことにより、検出確率を高くしている。
【００３０】
このＩＴＩエリアは、図１３に示すように、プリアンブル、ＳＳＡ、ＴＩＡおよびポストアンブルの４つの部分からなる。１４００ビットのプリアンブルは、ディジタル信号再生のＰＬＬのランインの働き等をする。ＳＳＡ（Ｓｔａｒｔ  Ｓｙｎｃ  ｂｌｏｃｋ  Ａｒｅａ  ）は、この機能のために用いられるものであり、１ブロック３０ビットで構成され、６１ブロックある。その後ろにＴＩＡ（Ｔｒａｃｋ  Ｉｎｆｏｒｍａｔｉｏｎ  Ａｒｅａ）がある。これは、３ブロック９０ビットで構成される。ＴＩＡは、トラック全体に関わる情報を格納するエリアであって、この中におおもとのＡｐｐｌｉｃａｔｉｏｎ  ＩＤであるＡＰＴ（Ａｐｐｌｉｃａｔｉｏｎ  ＩＤ  ｏｆ  ａ  Ｔｒａｃｋ  ）３ビット、トラックピッチを表すＳＰ／ＬＰ１ビット、リザーブ１ビット、それにサーボシステムの基準フレームを示すＰＦ（Ｐｉｌｏｔ  Ｆｒａｍｅ  ）１ビットの計６ビットが格納される。最後にマージンを稼ぐためのポストアンブル２８０ビットがある。
【００３１】
また上述の装置において、記録媒体の収納されるカセットにメモリＩＣの設けられた回路基板を搭載して、このカセットが装置に装着されるとこのメモリＩＣに書き込まれたデータを読み出して記録再生の補助を行うようにすることが既に提案されている。ここではこれをＭＩＣと呼ぶことにする。
【００３２】
ＭＩＣには、テープ長、テープ厚、テープ種類等のテープ自体の情報と共に、ＴＯＣ（Ｔａｂｌｅ  Ｏｆ  Ｃｏｎｔｅｎｔｓ  ）情報、インデックス情報、文字情報、再生制御情報、タイマー記録情報等を記憶しておくことができる。ＭＩＣを有するカセットテープをディジタルＶＣＲに接続すると、例えばＭＩＣに記憶されたデータが読み出され、所定のプログラムにスキップしたり、プログラムの再生順を設定したり、所定のプログラムの場面を指定して静止画（フォト）を再生したり、タイマー予約で記録したりすることが可能となる。
【００３３】
アプリケーションＩＤは、上述のＴＩＡエリアのＡＰＴだけでなく、このＭＩＣの中にもＡＰＭ（Ａｐｐｌｉｃａｔｉｏｎ  ＩＤ  ｏｆ  ＭＩＣ  ）として、アドレス０の上位３ビットに格納されている。アプリケーションＩＤの定義は、
アプリケーションＩＤはデータ構造を規定する、としている。
要するに、アプリケーションＩＤはその応用例を決めるＩＤではなく、単にそのエリアのデータ構造を決定しているだけである。従って、以下の意味付けがなされる。
ＡＰＴ・・・トラック上のデータ構造を決める。
ＡＰＭ・・・ＭＩＣのデータ構造を決める。
ＡＰＴの値により、トラック上のデータ構造が規定される。
【００３４】
つまり、ＩＴＩエリア以降のトラックが、図１４のようにいくつかのエリアに分割され、それらのトラック上の位置、シンクブロック構成、エラーからデータを保護するためのＥＣＣ構成等のデータ構造が一義に決まる。さらに各エリアには、それぞれそのエリアのデータ構造を決めるアプリケーションＩＤが存在する。その意味付けは単純に以下のようになる。
エリアｎのアプリケーション・・・エリアｎのデータ構造を決める。
【００３５】
アプリケーションＩＤは、図１５のような階層構造を持つ。おおもとのアプリケーションＩＤであるＡＰＴによりトラック上のエリアが規定され、その各エリアにさらにＡＰ１〜ＡＰｎが規定される。エリアの数は、ＡＰＴにより定義される。図１５では二階層で記されているが、必要に応じてさらにその下に階層を形成してもよい。ＭＩＣ内のアプリケーションＩＤであるＡＰＭは一階層のみである。その値は、ディジタルＶＣＲによりその機器のＡＰＴと同じ値が書き込まれる。
【００３６】
ところで、このアプリケーションＩＤシステムにより、家庭用のディジタルＶＣＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作ることも可能である。また１つのエリアが決まってもその中味をさらに、そのエリアのアプリケーションＩＤで定義できるので、あるアプリケーションＩＤの値の時はそこはビデオデータ、別の値の時はビデオ・オーディオデータ、またはコンピューターデータというように非常に広範なデータ設定を行うことが可能になる。
【００３７】
次にＡＰＴ＝０００の時の様子を図１６Ａに示す。この図に示されるように、トラック上にエリア１、エリア２、エリア３が規定される。そしてそれらのトラック上の位置、シンクブロック構成、エラーからデータを保護するためのＥＣＣ構成、それに各エリアを保証するためのギャップや重ね書きを保証するためのオーバーライトマージンが決まる。さらに各エリアには、それぞれそのエリアのデータ構造を決めるアプリケーションＩＤが存在する。その意味付けは単純に以下のようになる。
ＡＰ１・・・エリア１のデータ構造を決める。
ＡＰ２・・・エリア２のデータ構造を決める。
ＡＰ３・・・エリア３のデータ構造を決める。
【００３８】
そしてこの各エリアのアプリケーションＩＤが、０００の時を以下のように定義する。
ＡＰ１＝０００・・ＣＶＣＲのオーディオ、ＡＡＵＸのデータ構造を採る
ＡＰ２＝０００・・ＣＶＣＲのビデオ、ＶＡＵＸのデータ構造を採る
ＡＰ３＝０００・・ＣＶＣＲのサブコード、ＩＤのデータ構造を採る
ここで
ＣＶＣＲ：家庭用ディジタル画像音声信号記録再生装置
ＡＡＵＸ：オーディオ予備データ
ＶＡＵＸ：ビデオ予備データ
と定義する。すなわち家庭用のディジタルＶＣＲを実現するときは、図１６Ｂに示すように、
ＡＰＴ、ＡＰ１、ＡＰ２、ＡＰ３＝０００
となる。当然、ＡＰＭも０００の値を採る。
【００３９】
ＡＰＴ＝０００の時には、ＡＡＵＸ、ＶＡＵＸ、サブコードおよびＭＩＣの各エリアは、すべて共通のパック構造で記述される。図１７に示すように、１つのパックは５バイト（ＰＣ０〜ＰＣ４）で構成され、先頭の１バイトがヘッダ、残りの４バイトがデータである。パックとは、データグループの最小単位のことで、関連するデータを集めて１つのパックが構成される。
【００４０】
ヘッダ８ビットは、上位４ビット、下位４ビットに分かれ、階層構造を形成する。図１８のように、上位４ビットを上位ヘッダ、下位４ビットを下位ヘッダとして二階層とされ、さらにデータのビットアサインによりその下の階層まで拡張することができる。この階層化により、パックの内容は明確に系統だてられ、その拡張も容易となる。そしてこの上位ヘッダ、下位ヘッダによる２５６の空間は、パックヘッダ表として、その各パックの内容と共に準備される。これを用いて、上述の各エリアが記述される。パック構造は５バイトの固定長を基本とするが、例外としてＭＩＣ内に文字データを記述する時のみ、可変長のパック構造を用いる。これは限られたバッファメモリを有効利用するためである。
【００４１】
図１９に、ヘッダのバイトＰＣ０が（６６ｈ）とされる、ＴＲパックのデータ配置を示す。パックのデータ構造としては、ヘッダに対応して多数存在するが、図１９に示すパックは、この発明と関連が強いものである。この図に示すように、データタイプ４ビットで各種信号を区別する。このデータタイプは、現在では次のように定義されている。
００００＝ＶＢＩＤ
０００１＝ＷＳＳ
００１０＝ＥＤＴＶ−２  ｉｎ  ２２ライン
００１１＝ＥＤＴＶ−２  ｉｎ  ２８５ライン
０１００＝Ｎｏ  Ｉｎｆｏｒｍａｔｉｏｎ
その他  ＝未定義
【００４２】
オーディオとビデオの各エリアは、それぞれオーディオセクタ、ビデオセクタと呼ばれる。図２０にオーディオセクタの構成を示す。なお、オーディオセクタは、プリアンブル、データ部およびポストアンブルからなる。プリアンブルは、５００ビットで構成され、ランアップ４００ビット、２つのプリシンクブロックからなる。ランアップは、ＰＬＬの引き込みのためのランアップパターンとして用いられ、プリシンクは、オーディオシンクブロックの前検出として用いられる。データ部は、１０５００ビットからなる。後ろのポストアンブルは、５５０ビットで構成され、１つのポストシンクブロック、ガードエリア５００ビットからなる。ポストシンクは、そのＩＤのシンク番号によりこのオーディオセクタの終了を確認させるものであり、ガードエリアは、アフレコしてもオーディオセクタがその後ろのビデオセクタに食い込まないようガードするためのものである。
【００４３】
プリシンク、ポストシンクの各ブロックは、図２１Ａおよび図２１Ｂに示すように、どちらも６バイトで構成される。プリシンクの６バイト目には、ＳＰ／ＬＰの判別バイトがある。（ＦＦｈ）でＳＰ、（００ｈ）でＬＰを表す。ポストシンクの６バイト目は、ダミーデータとして（ＦＦｈ）を格納する。ＳＰ／ＬＰの識別バイトは、前述のＴＩＡエリアにもＳＰ／ＬＰフラグとして存在するが、これはその保護用である。ＴＩＡエリアの値が読み取れれば、それを採用し、もし読み取り不可ならこのエリアの値を採用する。プリシンク、ポストシンクの各６バイトは、２４−２５変換（２４ビットのデータを２５ビットに変換して記録する変調方式）を施してから記録されるので、総ビット長は、
プリシンク    ６×２×８×２５÷２４＝１００ビット
ポストシンク  ６×１×８×２５÷２４＝  ５０ビット
となる。
【００４４】
オーディオシンクブロックは、図２２のように、９０バイトで１シンクブロックが構成される。前半の５バイトは、プリシンク、ポストシンクと同様の構成とされる。データ部は７７バイトで、水平パリティＣ１（８バイト）と垂直パリティＣ２（５シンクブロック）により保護されている。オーディオシンクブロックは、１トラック当たり１４シンクブロックからなり、これに２４−２５変換を施してから記録するので、総ビット長は、
９０×１４×８×２５÷２４＝１０５００ビット
となる。データ部の前半５バイトは、ＡＡＵＸ用で、これで１パックが構成され、１トラック当たり９パック用意される。図２２の０から８までの番号は、トラック内のパック番号を表す。
【００４５】
図２３は、そのＡＡＵＸの部分を抜きだして、トラック方向に記述した図である。１ビデオフレームは、５２５ライン／６０Ｈｚシステムの場合に１０トラックで、６２５ライン／５０Ｈｚシステムの場合に１２トラックで構成される。オーディオやサブコードもこの１ビデオフレームに従って記録再生される。図２３において、５０から５５までの数字は、パックヘッダの値（ＦＦｈ）を示す。
【００４６】
図２３からも分かるように、１０トラック内のＡＡＵＸとして、同じパックを１０回書いている。この部分をメインエリアと称する。ここには、オーディオ信号を再生するために必要なサンプリング周波数、量子化ビット数等の必須項目が主として格納される。なお、データ保護のために多数回書かれる。これにより、テープトランスポートにありがちな横方向の傷や片チャンネルクロッグ等が発生した場合でも、メインエリアのデータを再現できる。
【００４７】
それ以外の残りのパックは、すべて順番につなげてオプショナルエリアとして用いられる。図２３でａ、ｂ、ｃ、ｄ、ｅ、ｆ、ｇ、ｈ、……のように、矢印の方向にメインエリアのパックを抜かしてつなげていく。１ビデオフレームで、オプショナルエリアは３０パック（５２５ライン／６０Ｈｚ）、または３６パック（６２５ライン／５０Ｈｚ）用意される。このエリアは、文字どおりオプションなので、各ディジタルＶＣＲ毎に、パックヘッダ表のなかから自由にパックを選んで記述してよい。
【００４８】
図２４は、ビデオセクタの構成を示す。プリアンブルおよびポストアンブルの構成は、図２５に示されるオーディオセクタと同様である。ただし、ポストアンブルのガードエリアのビット数は、オーディオセクタのそれと比べて多くなっている。ビデオセクタ内に１４９個含まれるビデオシンクブロックは、図２５のようにオーディオと同じ９０バイトで１シンクブロックが構成される。
【００４９】
シンクブロックの先頭の５バイトは、プリシンク、ポストシンク、オーディオシンクと同様の構成である。データ部は７７バイトで、図２６のように水平パリティＣ１（８バイト）と垂直パリティＣ２（１１シンクブロック）により保護されている。図２４の上部２シンクブロックとＣ２パリティの直前の１シンクブロックはＶＡＵＸ専用のシンクで、７７バイトのデータはＶＡＵＸデータとして用いられる。ＶＡＵＸ専用シンクとＣ２シンク以外は、ＤＣＴ（離散コサイン変換）を用いて圧縮されたビデオ信号のビデオデータが格納される。ビデオデータは、２４−２５変換を施してから記録するので、ビデオセクタの総ビット長は、
９０×１４９×８×２５÷２４＝１１１７５０ビット
である。
【００５０】
図２６は、ビデオセクタの１４９シンクブロックを縦に並べたものである。図２６において、中央部の１３５シンクブロックが、ビデオ信号の格納エリアである。図中、ＢＵＦ０からＢＵＦ２６は、それぞれバッファリングユニットを示している。１バッファリングユニットは、５シンクブロックで構成され、１トラックに２７個のバッファリングユニットが含まれる。また、１ビデオフレーム、１０トラックでは、２７０バッファリングユニット存在する。つまり、１フレームの画像データのうち、画像として有効なエリアを抜き出し、そこをサンプリングしたディジタルデータを実画像の様々な部分からシャッフリングして集め２７０個のグループが形成される。その１グループが、１バッファリングユニットである。
【００５１】
１バッファリングユニット毎に、ＤＣＴ変換、量子化、可変長符号化等によってデータ圧縮を試み、発生する符号化データが目標データ量以下かどうかが評価される。そして、発生データ量が目標値以下となるような量子化ステップが決定され、決定された量子化ステップを用いて実際の符号化がなされる。そして、発生した符号化データが１バッファリングユニット、５シンクに詰め込まれる。
【００５２】
さらに、図２７は、サブコードセクタの構成を示す。サブコードセクタのプリアンブル、ポストアンブルには、オーディオセクタやビデオセクタと異なりプリシンクおよびポストシンクが存在しない。また他のセクタよりも、その長さが長くなっている。これは、サブコードセクタがインデックス打ち込みなど頻繁に書き換える用途に用いられ、また、トラック最後尾にあるためトラック前半のずれが全部加算された形でそのしわ寄せがくるためである。サブコードシンクブロックは、図２８のように高々１２バイトしかない。前半の５バイトは、プリシンク、ポストシンク、オーディオシンク、ビデオシンクと同様の構成である。続く５バイトはデータ部で、これらによってパックが構成される。
【００５３】
水平パリティＣ１は、２バイトであり、これがデータ部を保護している。また、オーディオデータおよびビデオデータのようにＣ１、Ｃ２によるいわゆる積符号構成は、サブコードでは、採用されていない。これは、サブコードが主として高速サーチ用のものであり、Ｃ１パリティと共にＣ２パリティまで再生できることが少ないからである。また、２００倍程度まで高速サーチするために、シンク長も１２バイトと短くしてある。サブコードシンクブロックは、１トラック当り１２シンクブロックあり、これに２４−２５変換を施してから記録するので、サブコードセクタの総ビット長は、
１２×１２×８×２５÷２４＝１２００ビット
である。
【００５４】
以下、この発明の一実施例について説明する。この一実施例は、基本的には、ＰＡＬｐｌｕｓ信号をディジタルＶＣＲによってカセットテープに記録し、また、カセットテープからＰＡＬｐｌｕｓ信号を再生することを可能とするものである。そして、再生されたＰＡＬｐｌｕｓ信号がＰＡＬｐｌｕｓのデコーダに供給され、ＰＡＬｐｌｕｓの再生画像を得ることができる。このディジタルＶＣＲでは、コンポジットカラービデオ信号がディジタル輝度信号Ｙ、色差信号ＣＲ  およびＣＢ  に分離され、ＤＣＴ変換と可変長符号を用いた高能率符号化方式により圧縮されて記録される。
【００５５】
この発明においては、変調垂直解像度補強信号（以下、変調ヘルパー信号と称する）を復調し垂直解像度補強信号（以下、ヘルパー信号と称する）とし、ＰＡＬｐｌｕｓ方式のコンポーネント信号における輝度信号として記録する。
【００５６】
また、第２３ラインに対して割り当てられている、ワイド画面であるか否か、また、ヘルパー信号の有無の識別等の識別、制御用の信号であるＷＳＳビットが所定の予備データ領域に記録される。また、第６２３ラインに割り当てられている白レベルおよび黒レベルの基準信号が所定の別の予備データ領域に記録される。再生時には、これらのＷＳＳビットや白レベルおよび黒レベルの基準信号は、それぞれ復元され所定のラインに挿入される。
【００５７】
図１は、上述したテープフォーマット上にＰＡＬｐｌｕｓ信号を記録する際の全体の構成の例を示す。入力端子１がＹ／Ｃ分離回路２およびＷＳＳ検出回路３に共に接続される。ＷＳＳ検出回路３がＷＳＳ再書き込み回路４に接続され、ＷＳＳ再書き込み回路４がディジタルＶＣＲ５０のデータ入力端子５１に接続される。ヘルパーキラーモードコントローラ５がＷＳＳ再書き込み回路４およびＰＡＬｐｌｕｓ記録側処理回路６の入力端子２０に共に接続される。
【００５８】
Ｙ／Ｃ分離回路２のＹ信号出力端がローパスフィルタ７ａに接続される。Ｙ／Ｃ分離回路２の信号Ｃ／ヘルパー信号出力端がＰＡＬデコーダ８に接続され、ＰＡＬデコーダ８のＣＢ  信号／ヘルパー信号出力端およびＣＲ  信号出力端がそれぞれローパスフィルタ７ｂ、７ｃに接続される。ローパスフィルタ７ａ、７ｂ、７ｃがＡ／Ｄ変換器９ａ、９ｂ、９ｃにそれぞれ接続される。
【００５９】
Ａ／Ｄ変換器９ａがＰＡＬｐｌｕｓ記録側処理回路６の入力端子２５に接続される。Ａ／Ｄ変換器９ｂがＰＡＬｐｌｕｓ記録側処理回路６の入力端子３２に接続される。Ａ／Ｄ変換器９ｃがＰＡＬｐｌｕｓ記録側処理回路６の入力端子３３に接続される。
【００６０】
ＰＡＬｐｌｕｓ記録側処理回路６の出力端子３７がディジタルＶＣＲ５０の入力端子５２に接続される。ＰＡＬｐｌｕｓ記録側処理回路６のデータ出力端子３１がディジタルＶＣＲ５０のデータ入力端子５４に接続される。ＰＡＬｐｌｕｓ記録側処理回路６の出力端子３８が線順次化回路１０のＣＢ  信号入力端に接続される。ＰＡＬｐｌｕｓ記録側処理回路６の出力端子３９が線順次化回路１０のＣＲ  信号入力端に接続される。線順次化回路１０の出力がディジタルＶＣＲ５０の入力端子５３に接続される。
【００６１】
入力端子１に、例えばアンテナによって受信されたＰＡＬｐｌｕｓ方式の放送がチューナを介しＰＡＬｐｌｕｓ信号とされ、供給される。供給されたこのＰＡＬｐｌｕｓ信号は、Ｙ／Ｃ分離回路２およびＷＳＳ検出回路３に共に供給される。また、図示しないが、この入力端子１から供給されたＰＡＬｐｌｕｓ信号は、同期分離回路にも供給され、垂直および水平同期信号が分離抽出される。これら分離抽出された同期信号が装置全体を制御するためのラインカウンタに供給され、ラインのカウントが行なわれる。
【００６２】
Ｙ／Ｃ分離回路２は、周波数多重化されている輝度信号Ｙおよび搬送色信号Ｃを分離する。これら分離された信号のうち、搬送色信号ＣがＰＡＬ信号デコーダ８に供給され、色差信号Ｂ−ＹおよびＲ−Ｙとされる。このうち、色差信号Ｂ−Ｙには、上述した、垂直解像度補強信号であるヘルパー信号が無画部、すなわち、第２４ライン〜第５９ライン、第２７５ライン〜第３１０ライン、第３３６ライン〜第３７１ライン、および第５８７ライン〜第６２２ラインに挿入されている。
【００６３】
Ｙ／Ｃ分離回路２出力された輝度信号Ｙがローパスフィルタ７ａに供給される。また、ＰＡＬデコーダ８から出力された、色差信号Ｂ−Ｙおよび色差信号Ｒ−Ｙがローパスフィルタ７ｂ、７ｃにそれぞれ供給される。これらローパスフィルタ７ａ、７ｂ、７ｃによって余分な高域成分を除去された輝度信号Ｙおよび色差信号Ｂ−Ｙ、色差信号Ｒ−Ｙは、Ａ／Ｄ変換器９ａ、９ｂ、９ｃにそれぞれ供給される。
【００６４】
なお、図示しないが、ラインカウンタのカウント値が無画部に対応した値になると、Ｙ／Ｃ分離回路２の動作を、くし形フィルタによる動作から通常のバンドパスフィルタによる動作にして、変調ヘルパー信号に対して悪影響が出ないようにすることも可能である。
【００６５】
なお、図示しないが、ヘルパー信号が挿入された色差信号Ｂ−Ｙが供給されるローパスフィルタ７ｂは、上述したラインカウンタのカウント値に基づいて制御される。すなわち、カウント値が無画部に対応した値になると、このローパスフィルタ７ｂは、そのフィルタ機能がＯＦＦとされる。これは、ヘルパー信号には、ヘルパー機能に対し有効な高域成分が多く含まれており、ローパスフィルタによってこの高域成分がカットされるのを避けるためである。
【００６６】
Ａ／Ｄ変換器９ａ、９ｂ、９ｃにそれぞれ供給された輝度信号Ｙおよび色差信号Ｂ−Ｙ、色差信号Ｒ−Ｙは、ＣＣＩＲ  ＲＥＣ６０１で規定されたレベルになるよう正規化され、ディジタル化される。このＣＣＩＲ  ＲＥＣ６０１の規定においては、白のレベルの最大値がディジタル値で‘２３５’、および黒のレベル（ペデスタルレベル）が‘１６’とされる。このＡ／Ｄ変換器９ａ、９ｂ、９ｃでは、これに基づいて正規化が行なわれる。図２は、この信号のディジタル化における正規化を模式的に示す。なお、この図においては、信号経路中、Ｙ／Ｃ分離回路２およびローパスフィルタ７ａ、７ｂ、７ｃが省略されている。なお、以下の説明においては、‘  ’で囲まれた数値は、デジタル値を表す。
【００６７】
ＰＡＬｐｌｕｓ信号は、Ｙ／Ｃ分離回路によって輝度信号Ｙと搬送色信号Ｃとに分離される。分離された搬送色信号Ｃは、ＰＡＬデコーダ８に供給される。ＰＡＬデコーダ８に供給された搬送色信号Ｃは、復調され、色差信号Ｂ−Ｙおよび色差信号Ｒ−Ｙとされる。このうち、色差信号Ｂ−Ｙについてはその振幅が２倍とされ、デコーダ内部の信号の正規化が成される。また、上述したように、この色差信号Ｂ−Ｙには、無画部にヘルパー信号が挿入されている。勿論、この無画部に挿入されたヘルパー信号も復調される。
【００６８】
このようにして得られた色差信号Ｂ−Ｙ、色差信号Ｒ−Ｙ、およびＹ信号のレベルの最大値は、カラーバー信号の場合、以下のような値となる。
輝度信号Ｙ    ＝０．７Ｖ
色差信号Ｒ−Ｙ＝０．９８１４ＶＰ−Ｐ  
色差信号Ｂ−Ｙ＝１．２４０４ＶＰ−Ｐ  
【００６９】
また、色差信号Ｂ−Ｙに挿入されているヘルパー信号のレベルの最大値は、以下のような値となる。
ヘルパー信号＝０．６ＶＰ−Ｐ  
ヘルパー信号のリファレンスバースト信号＝０．３ＶＰ−Ｐ  
【００７０】
これらの信号がＡ／Ｄ変換器９ａ、９ｂ、９ｃ（図２は模式図であり、ここではこれらのＡ／Ｄ変換器を特に区別しない）においてディジタル化される際に、色差信号Ｒ−Ｙには係数ＫＲ  が、また、色差信号Ｂ−Ｙおよびヘルパー信号、ヘルパー信号のリファレンスバースト信号には係数ＫＢ  がそれぞれ掛け合わされ、以下のような値とされる。
輝度信号Ｙ    ＝０．７Ｖ
色差信号Ｒ−Ｙ＝０．７１６ＶＰ−Ｐ  
色差信号Ｂ−Ｙ＝０．７１６ＶＰ−Ｐ  
ヘルパー信号  ＝０．３４６ＶＰ−Ｐ  
ヘルパー信号のリファレンスバースト信号＝０．１７３Ｐ−Ｐ  Ｖ
【００７１】
さらに、これらの信号がディジタル化された際のレベルは、ディジタル値で以下のような値とされ、ＣＣＩＲ  ＲＥＣ６０１に則った正規化が成される。
輝度信号Ｙ    ＝‘２１９’
色差信号ＣＲ  （Ｒ−Ｙ）＝‘２２４’
色差信号ＣＢ  （Ｂ−Ｙ）＝‘２２４’
ヘルパー信号＝‘１０８’
ヘルパー信号のリファレンスバースト信号＝‘５４’
【００７２】
なお、後述するが、これらの信号のうち、ヘルパー信号およびヘルパー信号のリファレンスバースト信号には、さらに２倍あるいは１／２倍とされる場合がある。また、正規化された色差信号Ｒ−Ｙ、色差信号Ｂ−Ｙは、上述のようにそれぞれ色差信号ＣＲ  、色差信号ＣＢ  と称され、以後の信号処理は、輝度信号Ｙも含め、ディジタル処理とされる。
【００７３】
このようにしてＡ／Ｄ変換器９ａ、９ｂ、９ｃによって正規化が行なわれた信号は、ＰＡＬｐｌｕｓ記録側処理回路６の対応する入力端子にそれぞれ供給される。すなわち、輝度信号Ｙが入力端子２５に、色差信号ＣＢ  ／ヘルパー信号が入力端子３２に、また、色差信号ＣＲ  が入力端子３３にそれぞれ供給される。
【００７４】
一方、ＷＳＳ検出回路３には、上述のラインカウンタから出力されたカウント値が供給されている（図示しない）。このカウント値に基づき、ＷＳＳ検出回路３に供給されたＰＡＬｐｌｕｓ信号は、その信号の第２３ライン中のＷＳＳ信号が検出され、この検出されたＷＳＳ信号がデコードされＷＳＳ書き換え回路４に供給される。
【００７５】
上述したように、検出されたこのＷＳＳ信号は、ヘルパー信号の有無の識別、あるいはアスペクト比などの、ＰＡＬｐｌｕｓの各モードの識別、制御用の情報を含むものである。このＷＳＳ信号が供給されたＷＳＳ書き換え回路４によって、その内容が書き換え可能とされる。書き換え可能とされたこのＷＳＳ信号は、ディジタルＶＣＲ５０のデータ入力端子５１に供給される。そして、このディジタルＶＣＲ５０において、上述のＴＲパックに書き込まれる。
【００７６】
ヘルパーキラーモードコントロール回路５からのヘルパーキラー信号がＷＳＳ書き換え回路４、およびＰＡＬｐｌｕｓ記録側処理回路６のヘルパーキラー入力端子２０に共に供給される。このヘルパーキラーモードコントロール回路５は、外部からの入力などによってヘルパー機能をＯＦＦ、すなわち、ＰＡＬｐｌｕｓ方式における垂直解像度補強の機能をカットするものである。
【００７７】
これは、例えばＰＡＬｐｌｕｓ方式によるビデオ信号の記録において、ＰＡＬｐｌｕｓ方式に対応していないビデオレコーダや、ディジタルＶＣＲとして記録帯域が狭いものが用いられた場合などに使用される。２値データであるＷＳＳ信号は、高域成分を多く含んでいるため、通常のビデオ信号と同じ方法で記録されると信号に歪が生じる。このように記録された信号がＰＡＬｐｌｕｓ方式に対応しているテレビジョン受像機などで再生された場合、この歪を含んだＷＳＳ信号が復調された際に、このＷＳＳ信号に含まれる、ＰＡＬｐｌｕｓ方式における識別、制御用信号が正しく復元されず、受像機が誤動作を起こしてしまう可能性がある。
【００７８】
また、通常の搬送色信号より高い周波数帯域を有するヘルパー信号が十分に記録できない場合、再生時に、ヘルパー信号による垂直解像度補強の効果が出ないばかりではなく、画面に悪影響を及ぼす可能性もある。
【００７９】
これらの場合、このヘルパーキラーモードコントロール回路５によってヘルパー機能をＯＦＦとする。すると、ＷＳＳ信号書き換え回路４においては、第２３ラインにおけるＷＳＳ信号のデータがＰＡＬｐｌｕｓ方式ではないことを示す内容に書き替えられる。また、ＰＡＬｐｌｕｓ記録側処理回路６においては、詳細は後述するが、ヘルパー信号の期間、すなわち無画部における輝度信号Ｙがディジタル値で‘１６’の信号とすげ替えられ、また、色差信号ＣＢ  およびＣＲ  が共に‘１２８’のレベルの信号とすげ替えられる。さらに、ＷＳＳ信号が記録されている第２３ラインが‘６４’のレベルの信号にすげ替えられる。これらにより、ＷＳＳ信号の不完全な記録による悪影響およびヘルパー信号による画面への悪影響が防がれる。
【００８０】
図３は、上述のＰＡＬｐｌｕｓ記録側処理回路６の構成の一例を示す。この回路において、上述したヘルパーキラー機能の実現およびＷＳＳ信号が記録されている第２３ラインのミュートが行なわれる。また、後述する、ヘルパー信号のＤＣレベルのシフト、ＤＣセットアップ値の付加、および第２３ライン、第６２３ラインのラッチが行なわれる。
【００８１】
入力端子２０がスイッチ回路２２、２３、２４によって構成されるヘルパーキラー回路２１に接続される。入力端子２５がディレイ回路２６に接続され、ディレイ回路２６がレベルラッチ回路２７およびスイッチ回路２８の入力端２８ａに接続される。レベルラッチ回路２７がデータ出力端子３１に接続される。スイッチ回路２８の共通出力端がミュート回路２９を構成するスイッチ回路３０の入力端３０ａに接続される。また、入力端３０ｂは、固定のディジタルレベル源に接続され、そのレベルが例えば‘６４’とされる。なお、この値は、後述のＤＣレベルシフト回路３７におけるシフト量に応じて、例えば‘３２’あるいは‘１２８’というように変えられる。このスイッチ回路３０の共通出力端がヘルパーキラー回路２１に含まれるスイッチ回路２２の入力端２２ａに接続される。
【００８２】
入力端子３２がヘルパーキラー回路２１に含まれるスイッチ回路２３の入力端子２３ａに接続されると共に、スイッチ回路３４の共通入力端に接続される。スイッチ回路３４の出力端３４ａが振幅増幅回路３５に接続され、振幅増幅回路３５がＤＣレベルシフト回路３６およびスイッチ回路３４の出力端３４ｂに共通接続される。ＤＣレベルシフト回路３６がスイッチ回路２８の出力端２８ｂに接続される。
【００８３】
入力端子３５がヘルパーキラー回路２１に含まれるスイッチ回路２４の入力端２４ｂに接続される。
【００８４】
ヘルパーキラー回路２１に含まれるスイッチ回路２２、２３、２４の入力端２２ｂ、２３ｂ、２４ｂがそれぞれ固定のディジタルレベル源に接続される。入力端２２ｂが‘１６’のレベルとされ、入力端２３ｂおよび入力端２４ｂが共に‘１２８’のレベルとされる。スイッチ回路２２の出力端が出力端子３９に接続される。スイッチ回路２３およびスイッチ回路２４の出力端が出力端子４０、４１にそれぞれ接続される。
【００８５】
また、このＰＡＬｐｌｕｓ記録側処理回路６には、ラインカウンタ４０が含まれており、このラインカウンタ４０に、上述した同期分離回路（図示しない）から供給される垂直同期信号、水平同期信号、およびこの装置全体を制御するシステムクロックによって、映像信号のラインがカウントされ、そのカウント値が出力される。このラインカウンタ４０から出力されるカウント値によって、以下に示す各回路が制御される。
レベルラッチ回路２７
スイッチ回路２８
ミュート回路２９に含まれるスイッチ回路３０
ＤＣセットアップ回路３１に含まれるスイッチ回路３２
ヘルパーキラー回路に含まれるスイッチ回路２２、２３、２４
【００８６】
なお、このラインカウンタ４０は、上述した、装置全体の制御のためのラインカウンタ（図示しない）としてもよい。また、逆に、上述の装置全体の制御のためのラインカウンタから出力されるカウント値を、このラインカウンタ４０から出力されるカウント値の代わりに用いてもよい。
【００８７】
輝度信号Ｙが入力端子２５を介しディレイ回路２６に供給される。このディレイ回路２６は、ハーフクロック精度、すなわち、システムクロックの半分のタイミングの精度を有するもので、このＰＡＬｐｌｕｓ記録側処理回路６において発生する輝度信号Ｙや色差信号ＣＢ  、ＣＲ  のタイミングのずれなどを修正するためのものである。このディレイ回路２６から出力された輝度信号Ｙがスイッチ回路２８の入力端２８ａと共に、レベルラッチ回路２７に供給される。
【００８８】
ところで、放送局から送出された電波は、テレビジョン受像機に到達するまでの間に、さまざまな妨害を受け減衰させられている。テレビジョン受像機に受信されたこの電波は、上述の白１００％のリファレンス信号を基に、ペデスタルレベルからシンクチップレベルまでのレベルが規定の電圧になるように、ＡＧＣによりゲインコントロールされる。
【００８９】
一方、無画部に挿入されたヘルパー信号は、４．４３ＭＨｚのサブキャリアでＵ軸変調されている。上述したように、このヘルパー信号のリファレンス信号が図３０に示すように第２３ラインの後半部分に挿入されている。このリファレンス信号を用いてヘルパー信号の復調を行なうためには、このリファレンス信号の位相情報だけでなく、振幅も重要である。
【００９０】
このＰＡＬｐｌｕｓ方式による画像信号を記録しようとするディジタルＶＣＲにおいては、有効画面だけを抽出して圧縮符号化し、垂直ブランキング期間や水平ブランキング期間のデータは落とされている。したがって、もう一方の、第６２３ラインに挿入されている白１００％のリファレンス信号は、無画部である垂直ブランキング期間に存在するために、切り捨てられてしまう。
【００９１】
この白１００％のリファレンス信号により、受信されたテレビジョン信号の輝度信号のレベルが決定される。このとき、電界強度が十分に強い地域での受信であれば、このリファレンス信号が失われていても規定のレベルで信号を復元することが可能である。しかしながら、そのような理想的な状況でない場合、特に弱電界地域においては、復元された輝度信号のリファレンスの電圧が規定の白１００％のレベルになることは期待できない。
【００９２】
この場合においても、既存のＰＡＬ方式による放送を受信する場合においては、特に大きな問題とはならない。ところが、ＰＡＬｐｌｕｓ方式による画像信号のように、高画質化を図った信号においては、意図された信号が復元できない問題点がある。
【００９３】
そのため、この発明においては、ＰＡＬｐｌｕｓ方式による画像信号に含まれる白１００％のリファレンス信号をレベルラッチ回路２７においてラッチし、白１００％のレベルを抽出し、この抽出されたレベルを示す値をテープの予備領域に記録することによって、この問題を解決している。
【００９４】
このレベルラッチ回路２７は、ラインカウンタ４５によるカウント値によって制御されるものである。上述したように、第６２３ラインに、図３３に示すような白１００％のレベルを示すリファレンス信号が送られてくる。カウント値による制御によって、このレベルラッチ回路２７においてこの第６２３ラインがラッチされる。そして、このラッチされた第６２３ラインに含まれる白１００％のリファレンス信号から、白１００％のレベルが抽出される。抽出されたこの白１００％のレベルは、デジタルデータとされ、データ出力端子３０に供給される。
【００９５】
ここで、何らかの理由（例えばノイズ）によって、第６２３ラインに含まれる白１００％のリファレンス信号から白１００％のデータが取得できなかった場合には、（ＦＦｈ）がラッチデータの代わりにデータ出力端子３０に供給される。
【００９６】
入力端子３３を介し、色差信号ＣＲ  がヘルパーキラー回路２１に含まれるスイッチ回路２４の入力端２４ａに供給される。
【００９７】
入力端子３２を介し、色差信号ＣＢ  がヘルパーキラー回路２１に含まれるスイッチ回路２３の入力端２３ａおよびスイッチ回路３４の共通入力端に供給される。このスイッチ回路３４は、例えば外部からのモードコントロール信号によって制御される。この色差信号ＣＢ  は、ヘルパー信号を含むものであるが、それがスイッチ回路３４の出力端３４ａからＤＣレベルシフト回路３６に供給され、また、出力端３４ｂからは振幅増幅回路３５に供給される。
【００９８】
スイッチ回路３４ｂにおいて入力端３４ｂが選択された場合、色差信号ＣＢ  が振幅増幅回路３５に供給され、予め設定されている増幅率、例えば、２倍あるいは１／２倍で振幅が増幅される。ここでは、供給された信号の振幅が１／２倍にされるものとする。この例では、上述の図２で説明したように、Ａ／Ｄ変換器９ｂにいて色差信号ＣＢ  のレベルが正規化されると共に、この色差信号ＣＢ  に含まれるヘルパー信号がレベル‘１０８’に正規化され、また、第２３ラインに含まれるヘルパー信号のリファレンスバースト信号がレベル‘５４’に正規化されている。この振幅増幅回路３５において、これらの信号の振幅が１／２倍とされ、ヘルパー信号のレベルが‘５４’とされ、ヘルパー信号のリファレンスバースト信号がレベル‘２７’とされる。
【００９９】
このように、ヘルパー信号のレベルを切り替えることによって、ヘルパー信号による垂直解像度補強の効果の程度を変えることができる。それにより、対象となる画像信号や記録／再生を行なう装置に適した垂直解像度補強を行なうことができる。
【０１００】
なお、ここで振幅の増幅率を２倍あるいは１／２倍としたのは、ここで扱われる信号がディジタル信号であり、ビットシフトによって簡単に振幅の増幅が行なえるためであって、増幅率は、これらの値に限定されるものではない。
【０１０１】
この振幅を１／２倍とされた信号がＤＣレベルシフト回路３６に供給される。また、スイッチ回路３４において出力端３４ａが選択された場合、出力端３４ａからの、ヘルパー信号を含む色差信号ＣＢ  が直接的にこのＤＣレベルシフト回路３６に供給される。供給されたこれら信号は、ＤＣレベルシフト回路３６において、供給された信号の振幅レベルに対応したＤＣセットアップ値を付加される。例えば、供給された色差信号ＣＢ  の振幅レベルが‘１０８’であれば、ＤＣセットアップ値‘６４’が付加される。また、供給された色差信号ＣＢ  の振幅レベルが‘５４’であれば、ＤＣセットアップ値‘３２’が付加される。供給された色差信号ＣＢ  の振幅レベルが‘２１６’であれば、ＤＣセットアップ値‘１２８’が付加される。
【０１０２】
このＤＣセットアップ値を付加された色差信号ＣＢ  は、スイッチ回路２８の入力端ｂに供給される。また、上述したように、このスイッチ回路２８の入力端２８ａには、ディレイ回路２６から輝度信号Ｙが供給されている。このスイッチ回路２８は、ラインカウンタ４０からのカウント値によって制御されるものであり、主画部の期間においては入力端２８ａが選択され、無画部においては入力端２８ｂが選択される。
【０１０３】
すなわち、図３４を参照し、第２４ライン〜第５９ラインの上部無画部では出力端２８ｂが選択され、第６０ライン〜第２７４の主画部では出力端２８ａが選択され、第２７５ライン〜第３１０ラインの下部無画部では出力端２８ｂが選択される。また、第３３６ライン〜第３７１ラインの上部無画部では出力端２８ｂが選択され、第３７２ライン〜第５８６ラインの主画部では出力端２８ａが選択され、第５８７ライン〜第６２２の下部無画部では出力端２８ｂが選択される。
【０１０４】
スイッチ回路２８の入力端２８ｂに供給されている色差信号ＣＢ  には、無画部の期間にヘルパー信号が含まれている。したがって、このように、スイッチ回路２８によって、無画部の期間と主画部の期間とでその供給される信号経路を切り替えることによって、輝度信号Ｙの無画部の期間にヘルパー信号が挿入される。このヘルパー信号が挿入された輝度信号Ｙがミュート回路２９に含まれるスイッチ回路３０の入力端３０ａに供給される。
【０１０５】
このミュート回路２９は、上述の、ＷＳＳ信号が記録されている第２３ラインのレベルのすげ替えを行なうものである。これは、２値（ステップ状）信号であるＷＳＳ信号は、後に行なわれるＤＣＴ圧縮の際の圧縮効率を下げてしまう。
【０１０６】
また、記録装置または再生装置のうち、何方か一方または両方がＰＡＬｐｌｕｓ方式に対応していない場合、これらの装置から得られた信号をＰＡＬｐｌｕｓ方式に対応したテレビジョン受像機で再生すると、正しい画像が映出されないという事態が生じる。
【０１０７】
すなわち、これらの装置においては、ＷＳＳ信号の記録または再生を行うことは可能であるが、ヘルパー信号の記録ができない。したがって、このような信号を、ＰＡＬｐｌｕｓ方式に対応したテレビジョン受像機に映出させようとすると、実際に記録されている信号とＷＳＳ信号との間に不一致が生じ、正しい画像が映出されないのである。そのため、これらの問題を回避するために、この第２３ラインのＷＳＳ信号のすげ替えが行なわれる。
【０１０８】
したがって、ラインカウンタ４０からのカウント値が第２３ラインを示す値になると、スイッチ回路３０において、入力端子３０ｂが選択され、第２３ラインが‘６４’のレベルにすげ替えられる。ここで、図３２に示されるように、この第２３ラインの後半にはヘルパー信号のリファレンス信号が乗せられている。そのため、このミュート回路２９における第２３ラインのミュートは、水平同期のタイミングでカウントされるラインカウンタ４０からのカウント値に対し、前半半分の期間だけ行なわれる。
【０１０９】
また、上部無画部と主画部の境界付近においては、無画部におけるヘルパー信号のレベルと主画部における画像信号のレベルとの間にレベル段差が存在する。このレベル段差が存在する区域に、ディジタルＶＣＲにおけるＤＣＴ圧縮の際のＤＣＴブロックが掛かると、主画部の中央部付近に、ＤＣＴ圧縮歪が画像障害となって現れる。そのため、このミュート回路２９によって、主画部の上３ライン、すなわち、第６０ライン〜第６２ライン、第３７２ライン〜第３７４ラインがレベル‘６４’にミュートされる。
【０１１０】
また、第２３ライン、および第６０ライン〜第６２ライン、第３７２ライン〜第３７４ライン以外では、ディレイ回路２６からの輝度信号Ｙが供給されている入力端子３０ａが選択される。このスイッチ回路３０の出力がミュート回路２９の出力とされ、ヘルパーキラー回路２１に含まれるスイッチ回路２２の入力端２２ａに供給される。
【０１１１】
なお、このスイッチ回路３０の入力端３０ｂに供給されるディジタル値は、ＤＣレベルシフト回路３６におけるＤＣセットアップ値と対応している。すなわち、ＤＣセットアップ値が‘６４’であれば入力端３０ｂには‘６４’が、ＤＣセットアップ値が‘３２’であれば入力端３０ｂには、‘３２’が、また、ＤＣセットアップ値が‘１２８’であれば入力端３０ｂには‘１２８’が供給される。
【０１１２】
このようにして、第２３ラインの信号がすげ替えられた輝度信号Ｙがヘルパーキラー回路２１に含まれるスイッチ回路２２の入力端２２ａに供給される。
【０１１３】
ヘルパーキラー回路２１に含まれるスイッチ回路２２、２３、２４の入力端２２ａ、２３ａ、２４ａには、上述したように、ヘルパー信号が挿入された輝度信号Ｙ、色差信号ＣＢ  、および色差信号ＣＲ  がそれぞれ供給される。また、スイッチ回路２２の入力端２２ｂには、ディジタル値で‘１６’の値が供給される。また、スイッチ回路２３、２４の入力端２３ｂ、２４ｂには、ディジタル値で‘１２８’の値がそれぞれ供給されている。
【０１１４】
このヘルパーキラー回路２１は、上述したように、ヘルパーキラーコントロール回路５からヘルパーキラー入力端子２０を介して供給されたヘルパーキラー信号によって、このヘルパーキラーの機能のＯＮ／ＯＦＦが制御される。また、スイッチ回路２２、２３、２４は、このヘルパーキラー信号によって制御されると共に、ラインカウンタ４０からのカウント値によっても制御される。
【０１１５】
ヘルパーキラー機能がＯＮのとき、ラインカウンタ４０からのカウント値に基づいてスイッチ回路２２、２３、２４が制御され、無画部においては各スイッチにおける入力端２２ｂ、２３ｂ、２４ｂがそれぞれ選択される。また、主画部においては各スイッチにおける入力端２２ａ、２３ａ、２４ａがそれぞれ選択される。
【０１１６】
すなわち、図３４を参照し、第２４ライン〜第５９ラインの上部無画部では入力端２２ｂ、２３ｂ、２４ｂが選択され、第６０ライン〜第２７４の主画部では入力端２２ａ、２３ａ、２４ａが選択され、第２７５ライン〜第３１０ラインの下部無画部では入力端２２ｂ、２３ｂ、２４ｂが選択される。また、第３３６ライン〜第３７１ラインの上部無画部では入力端２２ｂ、２３ｂ、２４ｂが選択され、第３７２ライン〜第５８６ラインの主画部では入力端２２ａ、２３ａ、２４ａが選択され、第５８７ライン〜第６２２の下部無画部では入力端２２ｂ、２３ｂ、２４ｂが選択される。
【０１１７】
このような制御の結果、無画部では、ヘルパー信号が挿入された輝度信号Ｙがスイッチ回路２２の入力端２２ｂに供給されたディジタル値で‘１６’のレベルとすげ替えられ、スイッチ回路２２の出力端から出力される。また、色差信号ＣＢ  がスイッチ回路２３の入力端２３ｂに供給されたディジタル値で‘１２８’のレベルとすげ替えられ、色差信号ＣＲ  がスイッチ回路２４の入力端２４ｂに供給されたディジタル値で‘１２８’のレベルとすげ替えられ、スイッチ回路２３、２４の出力端からそれぞれ出力される。
【０１１８】
また、主画部においては、これらスイッチ回路２２、２３、２４の入力端２２ａ、２３ａ、２４ａにそれぞれ供給されたヘルパー信号が挿入された輝度信号Ｙ、色差信号ＣＢ  、色差信号ＣＲ  は、そのまま各スイッチ回路の出力端から出力される。
【０１１９】
一方、ヘルパーキラー機能がＯＦＦとされているときは、このラインカウンタ４０のカウント値によるスイッチ回路２２、２３、２４の制御が行なわれず、常に各スイッチ回路の入力端は、入力端２２ａ、２３ａ、２４ａが選択される。それにより、各スイッチ回路に供給された、ヘルパー信号が挿入された輝度信号Ｙ、色差信号ＣＢ  、色差信号ＣＲ  は、そのまま各スイッチ回路の出力端から出力される。
【０１２０】
また、このヘルパーキラー回路２１に含まれる、色差信号ＣＢ  およびＣＲ  のためのスイッチ回路２３、２４は、上述のヘルパー機能とは別の機能によっても制御される。つまり、主画部の上３ラインにＤＣＴブロックが掛かった際のＤＣＴ歪を避けるため、この期間、すなわち、第６０ライン〜第６２ライン、および第３７２ライン〜第３７４ラインにおいて、スイッチ回路２３では入力端２３ｂが、スイッチ回路２４では入力端２４ｂが選択され、色差信号ＣＢ  およびＣＲ  が共にレベル‘１２８’にミュートされる。
【０１２１】
このヘルパーキラー回路２１に含まれるスイッチ回路２２の出力が記録輝度信号Ｙとして出力端子３７に導出される。スイッチ回路２３の出力が記録色差信号ＣＢ  として出力端子３８に導出される。また、スイッチ回路２４の出力が記録色差信号ＣＲ  として出力端子３９に導出される。
【０１２２】
ＰＡＬｐｌｕｓ記録側処理回路６の出力端子３７から出力された記録輝度信号ＹがディジタルＶＣＲ５０の入力端子５２に供給される。また、出力端子３８、３９から出力された記録色差信号ＣＢ  および記録色差信号ＣＲ  は、線順次化回路１０に供給され、線順次化された色差信号ＣＢ  ／ＣＲ  とされ、ディジタルＶＣＲ５０の入力端子５３に供給される。
【０１２３】
図４に、上述のＰＡＬｐｌｕｓ記録側処理回路６から出力された信号を記録するためのディジタルＶＣＲ５０の構成の一例を示す。図４において、入力端子５２、５３には、コンポーネントカラービデオ信号である記録輝度信号Ｙおよび記録色差信号ＣＢ  ／ＣＲ  が供給される。このうち、記録輝度信号Ｙには、無画部の期間にヘルパー信号が挿入されている。
【０１２４】
供給されたこれら記録輝度信号Ｙおよび記録色差信号ＣＢ  ／ＣＲ  が有効情報抽出回路５５に供給される。有効情報抽出回路５５で、垂直ブランキング期間や水平ブランキング期間等、有効画面外ののデータが落とされ、有効画面内のデータだけが抽出される。ここで、有効ラインとしては、第１フィールドの第２３ライン〜第３１０ラインと、第２フィールドの第３３５ライン〜第６２２ラインとされている。
【０１２５】
ＰＡＬｐｌｕｓでは、アスペクト比のデータや、ヘルパー信号の有無等の識別信号などを示すＷＳＳ信号が第２３ラインに、白１００％のリファレンス信号が第６２３ラインに挿入されているが、第６２３ラインは有効ライン内にないので、ここで除去される。第２３ラインについては、、有効ライン内にあるが、上述のＰＡＬｐｌｕｓ記録側処理回路６におけるミュート回路２９によって、ディジタル値で‘６４’のレベルの信号にすげ替えられている。
【０１２６】
有効情報抽出回路５５の出力がブロック化及びシャフリング回路５６に供給される。ブロック化及びシャフリング回路５６で、（８×８）のブロックにブロック化され、そして、圧縮が画面全体で平均化されると共に、ヘッドのクロッグやテープの損傷等でデータが集中的に欠落するのを防ぐために、シャフリングがなされる。
【０１２７】
ブロック化及びシャフリング回路５６の出力が圧縮回路５７に供給される。圧縮回路５７は、ＤＣＴ変換と、可変長符号化により、ビデオデータを圧縮するものである。すなわち、圧縮回路５７は、ＤＣＴ変換回路と、ＤＣＴ変換されたデータを量子化する量子化器と、総符号量を推定し最適な量子化器を決定するエスティメータと、２次元ハフマン符号を用いてデータを圧縮する可変長符号化回路とを有している。圧縮回路５７で、（８×８）の時間領域のデータが（８×８）の周波数領域の係数データに変換され、これが量子化され、可変長符号化される。
【０１２８】
圧縮回路５７の出力がフレーム化回路５８に供給される。フレーム化回路５８で、所定のシンクブロック中に所定の規則で、ビデオデータが詰め込まれる。フレーム化回路５８の出力がＶＡＵＸ付加回路５９に供給される。ＶＡＵＸ付加回路５９には、ＶＡＵＸ発生回路６０から、ＶＡＵＸデータが供給される。ＶＡＵＸ発生回路６０には、コントローラ８０からデータがＶＡＵＸデータが与えられる。ＶＡＵＸ付加回路５９でＶＡＵＸデータが付加されたビデオデータは、マルチプレクサ６１に供給される。
【０１２９】
入力端子５１には、図１に示すＷＳＳ書き換え回路４からＴＲパックに書き込まれるデータとして、ＷＳＳデータが供給される。また、入力端子５４には、図１および図３に示すＰＡＬｐｌｕｓ記録側処理回路６のＴＲパック出力端子３１から、ＴＲパックに書き込まれるデータとして、白１００％のリファレンスデータが供給される。ＶＡＵＸ発生回路６０から発生されるＶＡＵＸデータには、これらのデータが含まれている。
【０１３０】
具体的には、ＶＡＵＸに図１９に示すＴＲパック（ヘッダ６６ｈ）が設けられ、識別信号のデータがこのＴＲパックに記録される。上述したように、このＴＲパックのＰＣ１〜ＰＣ３にはＷＳＳデータが、ＰＣ４には白１００％のリファレンスデータが記録される。なお、何らかの理由により白１００％のリファレンスデータが取得されていなかった場合には、このＰＣ４には、（ＦＦｈ）が記録される。
【０１３１】
図５に、これらのデータがＴＲパックに記録された状態を示す。このように、１４ビットを有するＷＳＳデータがＰＣ１の５ビット目からＭＳＢに向け、ｂ０、ｂ１、ｂ２、と詰め込まれ、ＰＣ１がビットで埋められると、ＰＣ２のＬＳＢからＭＳＢに向け、ｂ３、ｂ４、・・・ｂ１０、と詰め込まれ、さらにＰＣ３のＬＳＢからＭＳＢに向け、ｂ１１、ｂ１２、ｂ１３、とデータが詰め込まれる。このようにして、ＴＲパックがＷＳＳデータで埋められる。また、白１００％のリファレンスデータは、最大でも‘２３５’とされているため、ＰＣ４の８ビットに書き込まれる。
【０１３２】
また、入力端子６２には、オーディオ信号が供給される。このオーディオ信号がＡ／Ｄコンバータ６３に供給される。Ａ／Ｄコンバータ６３で、オーディオ信号がディジタル化される。このオーディオ信号がオーディオ信号処理回路６４に供給される。オーディオ処理回路６４で、オーディオデータが所定のシンクブロック内に詰め込まれる。オーディオ信号処理回路６４の出力がＡＡＵＸ付加回路６５に供給される。
【０１３３】
ＡＡＵＸ付加回路６５には、コントローラ８０からの制御の基に、ＡＡＵＸ発生回路６６から、ＡＡＵＸデータが供給される。ＡＡＵＸ付加回路６５で、オーディオデータにＡＡＵＸデータが付加される。このＡＡＵＸデータが付加されたオーディオデータがマルチプレクサ回路６１に供給される。
【０１３４】
サブコード発生回路６７で、サブコードが発生される。サブコードデータは、高速サーチの際に用いられる。このサブコードデータがマルチプレクサ回路６１に供給される。
【０１３５】
マルチプレクサ回路６１で、ビデオデータと、オーディオデータと、サブコードデータとが切り換えられる。このマルチプレクサ回路６１の出力がエラー訂正符号化回路６８に供給される。エラー訂正符号化回路６８で、記録データにエラー訂正符号が付加される。エラー訂正符号化回路６８の出力がチャネルエンコーダ６９に供給される。チャネルエンコーダ６９で、記録データが２４／２５変換される。ここで、更に、ディジタル記録に適したパーシャルレスポンスクラス４のコーディング処理が行われる。チャネルエンコーダ６９の出力が記録アンプ（図示せず）を介してヘッド７０に供給され、上述したフォーマットで記録テープに記録される。
【０１３６】
図６〜図８は、記録テープ上に記録される各信号レベルの例を示す。これらのうち、図６は、ＰＡＬｐｌｕｓ記録側処理回路６のＤＣレベルシフト回路３６において、ＤＣセットアップ値が‘６４’とされた例である。図６Ａの示す第２３ラインの信号レベルでは、記録輝度信号Ｙにはヘルパー信号が挿入されているため、第２３ラインにはヘルパー信号のリファレンス信号が乗せられている。このリファレンス信号がＤＣセットアップ値‘６４’に対し‘５４’だけ沈み込んだレベルとされ記録される。
【０１３７】
図６Ｂは、無画部、すなわち、第２４ライン〜第５９ライン、第２７５ライン〜第３１０ライン、第３３６ライン〜第３７１ライン、および第５８７ライン〜第６２２ラインでの信号レベルを示す。なお、ここでは、ヘルパーキラー機能がＯＦＦであるものとする。このように、この無画部の区間に挿入されているヘルパー信号は、ＤＣセットアップ値‘６４’を中心に、最大で‘１０８’の広がりを有する。この最大値のレベルは、上述のＡ／Ｄ変換器９ａによって正規化された値である。
【０１３８】
また、この無画部の期間においては、記録色差信号ＣＢ  ／ＣＲ  には何も信号は現れない。
【０１３９】
図６Ｃは、主画部、すなわち、第６０ライン〜第２７４ライン、および第３７２ライン〜第５８６ラインにおける信号レベルを示す。この期間については、通常のＰＡＬｐｌｕｓ方式の信号レベルとされている。記録輝度信号Ｙは、最大値が白１００％のリファレンスレベルであって‘２３５’とされ、最小値がペデスタルレベルである‘１６’とされる。また、記録色差信号ＣＢ  ／ＣＲ  についても同様で、‘１２８’のレベルを中心に±‘１１２’の広がりを有し、最小値が‘１６’、最大値が‘２４０’とされる。
【０１４０】
図６Ｄは、主画部の上３ライン、すなわち、第６０ライン〜第６２ライン、および第３７２ライン〜第３７４ラインを示す。この期間においては、ディジタルＶＣＲ５０の圧縮回路５７におけるＤＣＴ圧縮による圧縮歪が生じるのを避けるため、記録輝度信号ＹがＤＣセットアップ値であるレベル‘６４’に、また、記録色差信号ＣＢ  ／ＣＲ  がレベル‘１２８’の無彩色のレベルにミュートされる。
【０１４１】
図６Ｅは、第６２３ラインにおける白１００％レベルのリファレンス信号を示す。この信号は、テープ上に記録されない。
【０１４２】
図７は、ＤＣセットアップ値が‘３２’とされた例である。図７Ａの示す第２３ラインの信号レベルでは、ヘルパー信号のリファレンス信号がＤＣセットアップ値‘３２’に対し‘２７’だけ沈み込んだレベルとされ記録される。
【０１４３】
図７Ｂは、無画部における信号レベルを示す。この無画部の区間に挿入されているヘルパー信号は、ＤＣセットアップ値‘３２’を中心に、最大で、Ａ／Ｄ変換器９ａによって正規化された値である、‘５４’の広がりを有する。また、この無画部の期間においては、記録色差信号ＣＢ  ／ＣＲ  には何も信号は現れない。
【０１４４】
図７Ｃは、主画部における信号レベルを示す。この期間については、記録輝度信号Ｙ、色差信号ＣＢ  およびＣＲ  の双方において、図６に示す、ＤＣセットアップ値が‘６４’である例と何ら変わるところはない。
【０１４５】
図７Ｄは、主画部の上３ラインを示す。この期間においては、ＤＣＴ圧縮による圧縮歪が生じるのを避けるため、記録輝度信号ＹがＤＣセットアップ値であるレベル‘３２’に、また、記録色差信号ＣＢ  ／ＣＲ  がレベル‘１２８’の無彩色のレベルにミュートされる。
【０１４６】
図７Ｅは、第６２３ラインにおける白１００％レベルのリファレンス信号を示す。この信号は、テープ上に記録されない。
【０１４７】
図８は、ＤＣセットアップ値が‘１２８’とされた例である。図８Ａの示す第２３ラインの信号レベルでは、ヘルパー信号のリファレンス信号がＤＣセットアップ値‘１２８’に対し‘１０８’だけ沈み込んだレベルとされ記録される。
【０１４８】
図８Ｂは、無画部における信号レベルを示す。この無画部の区間に挿入されているヘルパー信号は、ＤＣセットアップ値‘１２８’を中心に、最大で、Ａ／Ｄ変換器９ａによって正規化された値である、‘２１６’の広がりを有する。また、この無画部の期間においては、記録色差信号ＣＢ  ／ＣＲ  には何も信号は現れない。
【０１４９】
図８Ｃは、主画部における信号レベルを示す。この期間については、記録輝度信号Ｙ、色差信号ＣＢ  およびＣＲ  の双方において、図６に示す、ＤＣセットアップ値が‘６４’である例と何ら変わるところはない。
【０１５０】
図８Ｄは、主画部の上３ラインを示す。この期間においては、ＤＣＴ圧縮による圧縮歪が生じるのを避けるため、記録輝度信号ＹがＤＣセットアップ値であるレベル‘１２８’に、また、記録色差信号ＣＢ  ／ＣＲ  がレベル‘１２８’の無彩色のレベルにミュートされる。
【０１５１】
図８Ｅは、第６２３ラインにおける白１００％レベルのリファレンス信号を示す。この信号は、テープ上に記録されない。
【０１５２】
次に、上述のような方法によって磁気テープ上に記録された信号を再生する場合について説明する。図９は、この再生系のディジタルＶＣＲ１００の構成の一例を示す。図９において、ヘッド１０１の再生信号は、再生アンプ（図示せず）を介して、チャンネルデコーダ１０２に供給される。チャンネルデコーダ１０２で、再生信号が復調される。チャンネルデコーダ１０２の出力がエラー訂正回路１０３に供給される。エラー訂正回路１０３により、エラー訂正処理がなされる。エラー訂正回路１０３の出力がデマルチプレクサ１０４に供給される。
【０１５３】
デマルチプレクサ１０４により、オーディオエリアの再生データと、ビデオエリアの再生データと、サブコードエリアの再生データとが分けられる。
【０１５４】
オーディオエリアの再生データは、オーディオ処理回路１０７に供給される。また、オーディオエリアの再生データ中のＡＡＵＸデータがＡＡＵＸデコード回路１０８で検出される。このＡＡＵＸデータがコントローラ１２０に供給される。オーディオ処理回路１０７で、時間軸変換、補間等の処理がなされる。オーディオ処理回路１０７の出力がＤ／Ａコンバータ１１０に供給される。Ｄ／Ａコンバータ１１０の出力が出力端子１１１から出力される。
【０１５５】
ビデオエリアの再生データは、デフレーム回路１０５に供給される。また、ビデオエリアの再生データ中のＶＡＵＸデータがＶＡＵＸデコード回路１０６で検出される。このＶＡＵＸデータがコントローラ１２０に供給される。
【０１５６】
なお、ＶＡＵＸのＴＲパックのＰＣ１〜３からは、ＷＳＳデータが得られる。また、同様にＰＣ４からは白１００％のリファレンスデータが得られる。これら得られたデータのうち、ＷＳＳデータは、データ出力端子１１７から出力され、後述するＷＳＳ信号エンコーダ１５２に送られる。また、白１００％のリファレンスデータは、データ出力端子１１８から出力され、後述するＰＡＬｐｌｕｓ再生側処理回路１５１に送られる。
【０１５７】
サブコードエリアの再生データは、サブコードデコード回路１０９で検出される。このサブコードデータがコントローラ１２０に供給される。
【０１５８】
デフレーム回路１０５の出力が伸長回路１１２に供給される。伸長回路１１２は、可変長符号の復号と、逆ＤＣＴ変換により、圧縮記録されていたビデオ信号を元の時間領域のビデオ信号に変換するものである。伸長回路１１２の出力がデシャフリング及びデブロック化回路１１３に供給される。デシャフリング及びデブロック化回路１１３からは、再生コンポーネントカラービデオ信号Ｙ、Ｃが得られる。これらの信号のうち、信号Ｃは、色差信号ＣＢ  、ＣＲ  が線順次化されたものであり、且つヘルパー信号が挿入されている。
【０１５９】
この再生コンポーネントカラービデオ信号Ｙ、Ｃが情報付加回路１１４に供給される。情報付加回路１１４は、水平同期信号や垂直同期信号等を付加するものである。この情報付加回路１１４の出力のうち、再生輝度信号Ｙが出力端子１１５から出力され、再生色信号Ｃが出力端子１１６から出力される。なお、この場合、再生輝度信号Ｙには、上述したように、記録時に無画部の期間にヘルパー信号が挿入されている。したがって、この再生輝度信号Ｙも、無画部の期間にヘルパー信号を含むものである。
【０１６０】
図１０は、上述のディジタルＶＣＲ１００から出力されたＰＡＬｐｌｕｓ再生信号を処理するための、全体の構成の一例を示す。ディジタルＶＣＲ１００の出力端子１１６が線順次補間回路１５０に接続される。線順次補間回路１５０のＣＢ  ／ヘルパー信号出力およびＣＲ  出力がＰＡＬｐｌｕｓ再生側処理回路１５１の入力端子２００、２０１にそれぞれ接続される。ディジタルＶＣＲ１００の１出力端子１１５がＰＡＬｐｌｕｓ再生側処理回路１５１の入力端子２０２に接続される。ディジタルＶＣＲ１００のデータ出力端子１１８がＰＡＬｐｌｕｓ再生側処理回路１５１のデータ入力端子２０３に接続される。ディジタルＶＣＲ１００のデータ出力端子１１７がＷＳＳエンコーダ１５２に接続される。ＷＳＳエンコーダ１５２が加算器１５６の一方の入力端に接続される。
【０１６１】
ヘルパーキラーモードコントロール回路１５３がＷＳＳ信号エンコーダ１５２およびＰＡＬｐｌｕｓ再生側処理回路１５１の入力端子２０４に接続される。ＰＡＬｐｌｕｓ再生側処理回路１５１の出力端子２０５、２０６、２０７がＤ／Ａ変換器１５４ａ、１５４ｂ、１５４ｃにそれぞれ接続される。Ｄ／Ａ変換器１５４ａがＰＡＬエンコーダ１５５のＹ信号入力端に接続され、Ｄ／Ａ変換器１５４ｂがＰＡＬエンコーダ１５５のＢ−Ｙ／ヘルパー信号入力端に接続され、Ｄ／Ａ変換器１５４ｃがＰＡＬエンコーダ１５５のＲ−Ｙ入力端に接続される。
【０１６２】
ＰＡＬエンコーダ１５５のＹ信号出力端が加算器１５６の他方の入力端に接続される。ＰＡＬエンコーダ１５５のＣ／ヘルパー信号出力端がＹ／Ｃ混合回路１５７のＣ／ヘルパー信号入力端に接続されると共に、Ｙ／Ｃ分離出力端１５８のＣ出力端子１６０に接続される。加算器１５６がＹ／Ｃ混合回路１５７のＹ信号入力端に接続されると共に、Ｙ／Ｃ分離出力端１５８の出力端子１５９に接続される。Ｙ／Ｃ混合回路１５７のコンポジット信号出力端が出力端子１６１に接続される。
【０１６３】
ディジタルＶＣＲ１００の出力端子１１５から出力された再生輝度信号ＹがＰＡＬｐｌｕｓ再生側処理回路１５１の入力端子２０２に供給される。なお、図示しないが、出力端子１１５からから供給された再生輝度信号Ｙは、同期分離回路にも供給され、垂直および水平同期信号が分離抽出される。これら分離抽出された同期信号が装置全体を制御するためのラインカウンタに供給され、ラインのカウントが行なわれる。
【０１６４】
ディジタルＶＣＲ１００の出力端子１１６から出力された再生色信号Ｃが線順次補間回路１５０に供給される。線順次化された再生色信号Ｃは、この線順次補間回路１５０において、上述したラインカウンタから出力されたカウント値に基づき制御され、色差信号ＣＢ  および色差信号ＣＲ  に振り分けられる。色差信号ＣＢ  は、ＰＡＬｐｌｕｓ再生側処理回路１５１の入力端子２００に供給され、色差信号ＣＲ  は、入力端子２０１に供給される。
【０１６５】
ディジタルＶＣＲ１００のデータ出力端子１１８から、白１００％のリファレンスデータが出力される。このデータは、図５に示すＴＲパックのＰＣ４に書き込まれた８ビットのディジタルデータであり、これが取り出され、ＰＡＬｐｌｕｓ再生側処理回路１５１のデータ入力端子２０３に供給される。
【０１６６】
ディジタルＶＣＲ１００のデータ出力端子１１７から、ＷＳＳデータが出力される。このデータは、図５に示すＴＲパックのＰＣ１〜ＰＣ３に、ｂ０〜ｂ１３として書き込まれた１４ビットのディジタルデータであり、これが取り出され、ＷＳＳエンコーダ１５２に供給される。ＷＳＳエンコーダ１５２において、このディジタルデータであるＷＳＳデータがエンコードされ、ＰＡＬｐｌｕｓ方式のテレビジョン受像機などが認識可能な信号とされる。また、このＷＳＳエンコーダ１５２において、ヘルパー信号のリファレンス信号が生成される。これらＷＳＳ信号およびリファレンス信号が第２３ラインとしての所定の位置に配され、スイッチ回路１５６の入力端１５６ａに供給される。
【０１６７】
ヘルパーキラーモードコントロール回路５３からのヘルパーキラー信号がＷＳＳエンコーダ１５３、およびＰＡＬｐｌｕｓ再生側信号処理回路１５１の入力端子２０４に共に供給される。このヘルパーキラーモードコントロール回路５３は、上述の、図１に示した記録側の構成におけるヘルパーキラーモードコントロール回路５と同様、外部からの入力などによってヘルパー機能をＯＦＦ、すなわち、ＰＡＬｐｌｕｓ方式における垂直解像度補強の機能をカットするものである。
【０１６８】
これは、例えば、ＰＡＬｐｌｕｓ方式の映像信号を、ＰＡＬｐｌｕｓ方式に対応していない、ＰＡＬ方式のテレビジョン受像機などで映出させる際に特に必要とされる機能である。ＰＡＬ方式のテレビジョン受像機のアスペクト比は、（４：３）とされており、これにＰＡＬｐｌｕｓ方式の画面を映出させると、図２７Ａに示すように、上下に無画部が配されたレターボックス形式の画面として映出される。この上下の無画部にはヘルパー信号が挿入されており、このヘルパー信号が色のちらつきなどの画像障害となって無画部に映出されてしまう。
【０１６９】
このような場合、このヘルパーキラーモードコントロール回路１５３によってヘルパー機能をＯＦＦとする。すると、ＰＡＬｐｌｕｓ再生側処理回路１５１において、無画部の期間の信号が、再生輝度信号Ｙについてはディジタル値で‘１６’のレベル、すなわちペデスタルレベルに、また、ヘルパー信号が挿入されている再生色差信号ＣＢ  、ＣＲ  については共にディジタル値で‘１２８’のレベル、すなわち無彩色のレベルとすげ替えられる。また、ＷＳＳエンコーダ１５２においては、ＷＳＳ信号が挿入されている第２３ラインの信号がディジタル値で‘１６’のレベルにミュートされる。
【０１７０】
このようにヘルパーキラー機能を働かせることによって、上下の無画部に現れる画面の障害を無くすることができる。
【０１７１】
また、このヘルパーキラーの機能は、ＰＡＬｐｌｕｓ方式の映像信号をＰＡＬｐｌｕｓ方式に対応したテレビジョン受像機で再生する際、例えば記録されている信号の質が悪いなどといったような、何らかの理由により、ヘルパー信号による垂直解像度補強の機能が有効に働かないようなときに使用しても効果がある。
【０１７２】
図１１は、上述のＰＡＬｐｌｕｓ再生側処理回路１５１の構成の一例を示す。この回路において、上述したヘルパーキラー機能の実現、白１００％のリファレンス信号の第６２３ラインへの挿入、および、記録時において輝度信号Ｙに挿入されたヘルパー信号の、再生色差信号ＣＢ  への挿入などが行なわれる。また、記録時にヘルパー信号に付加されたＤＣセットアップ値の除去などもこの回路において行なわれる。
【０１７３】
入力端子２０２がディレイ回路２０８に接続される。ディレイ回路２０８がヘルパーキラー回路２０９に含まれるスイッチ回路２１０の入力端２１０ａに接続されると共に、ＤＣレベルシフト回路２１３に接続される。ＤＣレベルシフト回路２１３が振幅増幅回路２１４およびスイッチ回路２１５の入力端２１５ａに接続される。振幅増幅回路２１４がスイッチ回路２１５の入力端２１５ｂに接続される。スイッチ回路２１５の共通出力端がスイッチ回路２１６の入力端２１６ｂに接続される。
【０１７４】
入力端子２００がスイッチ回路２１６の入力端２１６ａ接続される。スイッチ回路２１６の共通出力端がヘルパーキラー回路２０９に含まれるスイッチ回路２１１の入力端２１１ａに接続される。入力端子２０１がヘルパー回路２０９に含まれるスイッチ回路２１２の入力端２１２ａに接続される。
【０１７５】
このヘルパーキラー回路２０９は、スイッチ回路２１０、２１１、２１２によって構成される。これらスイッチ回路２１０、２１１、２１２の入力端２１０ｂ、２１１ｂ、２１２ｂがそれぞれ固定のディジタルレベル源に接続される。入力端２１０ｂが‘１６’のレベルと接続され、入力端２１１ｂおよび入力端２１２ｂが共に‘１２８’のレベルと接続される。
【０１７６】
ヘルパーキラー回路２０９に含まれるスイッチ回路２１０の共通出力端が白レベルリファレンス回路２１７に含まれるスイッチ回路２１８の入力端２１８ａに接続される。スイッチ回路２１８の共通出力端が出力端子２０５に接続される。また、スイッチ回路２１７の入力端２１７ｂがレジスタ２１９に接続される。データ入力端２０３がレジスタ２１９に接続される。スイッチ回路２１１の共通出力端が出力端子２０３に接続される。スイッチ回路２１２に共通出力端が出力端子２０７に接続される。
【０１７７】
また、このＰＡＬｐｌｕｓ再生側処理回路１５１には、ラインカウンタ２２０が含まれており、このラインカウンタ２２２に、上述した同期分離回路（図示しない）から供給される垂直同期信号、水平同期信号、およびこの装置全体を制御するシステムクロックによって、映像信号のラインがカウントされ、そのカウント値が出力される。このラインカウンタ２２０から出力されるカウント値によって、以下に示す各回路が制御される。
ヘルパーキラー回路２０９に含まれるスイッチ回路２１０、２１１、２１２
スイッチ回路２１６
白レベルリファレンス回路２１７に含まれるスイッチ回路２１８
【０１７８】
なお、このラインカウンタ２２０は、上述した、装置全体の制御のためのラインカウンタ（図示しない）としてもよい。また、逆に、上述の装置全体の制御のためのラインカウンタから出力されるカウント値を、このラインカウンタ２２０から出力されるカウント値の代わりに用いてもよい。
【０１７９】
再生輝度信号Ｙが入力端子２０２を介しディレイ回路２０８に供給される。このディレイ回路２０８は、ハーフクロック精度、すなわち、システムクロックの半分のタイミングの精度を有するもので、このＰＡＬｐｌｕｓ再生側処理回路１５１において発生する再生輝度信号Ｙや再生色差信号ＣＢ  、ＣＲ  のタイミングのずれなどを修正するためのものである。このディレイ回路２０８から出力された再生輝度信号Ｙがヘルパーキラー回路２０９に含まれるスイッチ回路２１０の入力端２１０ａに供給される。
【０１８０】
また、ディレイ回路２０８から出力された再生輝度信号Ｙは、ＤＣレベルシフト回路２１３にも供給される。この再生輝度信号Ｙには、上述したような記録装置によって、無画部の期間に、所定のＤＣセットアップ値が付加されたヘルパー信号が挿入されている。このＤＣレベルシフト回路２１３において、この付加されたＤＣセットアップ値が取り除かれる。この場合、この回路の出力側に配されるスイッチ回路２１６（後述する）によって、無画部の期間に信号が選択的に後段に供給されるため、このＤＣレベルシフト回路２１３においては、再生輝度信号Ｙの全体にわたってＤＣレベルのシフトが行なわれても、問題とはならない。
【０１８１】
このＤＣセットアップ値が取り除かれた再生輝度信号Ｙは、スイッチ回路２１５の入力端２１５ａおよび振幅増幅回路２１４に共に供給される。振幅増幅回路２１４においては、上述したような記録装置によって、予め設定された倍率で振幅が増幅されている。そこで、この振幅増幅回路２１４で、供給された再生輝度信号Ｙが元の振幅になるよう倍率が設定され、増幅される。例えば、記録時に１／２倍の倍率で増幅されていれば、この回路において倍率が２倍と設定され、増幅される。この振幅増幅回路２１４の出力がスイッチ回路２１５の入力端２１５ｂに供給される。
【０１８２】
なお、上述したように、ＤＣセットアップ値は、記録時にこの振幅増幅の倍率に対応して決められている。したがって、第２３ラインに送られてくるヘルパー信号のリファレンス信号のレベルを検出することで、これらＤＣセットアップ値および振幅の増幅率を知ることができる。
【０１８３】
スイッチ回路２１５は、外部から供給されるモードコントロール入力によって制御され、入力端２１５ａおよび入力端２１５ｂとが選択される。入力端２１５ａが選択されたときには、再生輝度信号ＹがＤＣレベルシフト回路２１４から直接的に、すなわち、振幅を増幅されずにスイッチ回路２１５の共通出力端に導出される。一方、入力端２１５ｂが選択されれば、振幅増幅回路２１４を介し、振幅を増幅された再生輝度信号Ｙがスイッチ回路２１５の共通出力端に導出される。
【０１８４】
このようにしてＤＣセットアップ値を除去され、振幅を増幅された再生輝度信号Ｙがスイッチ回路２１５の共通出力端からスイッチ回路２１６の入力端２１６ｂに供給される。このスイッチ回路２１６の入力端２１６ａには、入力端子２０１を介し、再生色差信号ＣＢ  が供給される。このスイッチ回路２１６は、ラインカウンタ２２０からのカウント値によって制御されるもので、無画部の期間において入力端２１６ｂが選択され、主画部の期間において入力端２１６ａが選択される。
【０１８５】
すなわち、図３４を参照し、第２４ライン〜第５９ラインの上部無画部では出力端２１６ｂが選択され、第６０ライン〜第２７４の主画部では出力端２１６ａが選択され、第２７５ライン〜第３１０ラインの下部無画部では出力端２１６ｂが選択される。また、第３３６ライン〜第３７１ラインの上部無画部では出力端２１６ｂが選択され、第３７２ライン〜第５８６ラインの主画部では出力端２１６ａが選択され、第５８７ライン〜第６２２の下部無画部では出力端２１６ｂが選択される。
【０１８６】
このようにスイッチ回路２１６を主画部の期間および無画部の期間において制御することによって、再生輝度信号Ｙの無画部の期間に挿入されているヘルパー信号が再生色差信号ＣＢ  の無画部の期間に挿入される。このようにして、藻が部の期間にヘルパー信号を挿入された再生色差信号ＣＢ  は、スイッチ回路２１６の出力端からヘルパーキラー回路に含まれるスイッチ回路２１１の入力端２１１ａに供給される。
【０１８７】
また、入力端子２０１を介し、再生色差信号ＣＲ  がヘルパーキラー回路２０９のスイッチ回路２１２の入力端２１２ａに供給される。
【０１８８】
ヘルパーキラー回路２０９に含まれるスイッチ回路２１０、２１１、２１２の入力端２１０ａ、２１１ａ、２１２ａには、上述したように、再生輝度信号Ｙ、無画部の期間にヘルパー信号が挿入された再生色差信号ＣＢ  、および再生色差信号ＣＲ  がそれぞれ供給される。また、スイッチ回路２１０の入力端２１０ｂには、ディジタル値で‘１６’の値が供給される。また、スイッチ回路２１１、２１２の入力端２１１ｂ、２１２ｂには、ディジタル値で‘１２８’の値がそれぞれ供給される。
【０１８９】
このヘルパーキラー回路２０９には、ヘルパーキラーコントロール回路１５３から入力端子２０４を介してヘルパーキラー信号が供給される。この供給されたヘルパーキラー信号によって、このヘルパーキラーの機能のＯＮ／ＯＦＦが制御される。また、スイッチ回路２１０、２１１、２１２は、このヘルパーキラー信号によって制御されると共に、ラインカウンタ２２０からのカウント値によっても制御される。
【０１９０】
ヘルパーキラー機能がＯＮのとき、ラインカウンタ２２０からのカウント値に基づいてスイッチ回路２１０、２１１、２１２が制御され、無画部においては各スイッチにおける入力端２１０ｂ、２１１ｂ、２１２ｂがそれぞれ選択される。また、主画部においては各スイッチにおける入力端２１０ａ、２１１ａ、２１２ａがそれぞれ選択される。
【０１９１】
すなわち、図３４を参照し、第２４ライン〜第５９ラインの上部無画部では入力端２１０ｂ、２１１ｂ、２１２ｂが選択され、第６０ライン〜第２７４の主画部では入力端２１０ａ、２１１ａ、２１２ａが選択され、第２７５ライン〜第３１０ラインの下部無画部では入力端２１０ｂ、２１１ｂ、２１２ｂが選択される。また、第３３６ライン〜第３７１ラインの上部無画部では入力端２１０ｂ、２１１ｂ、２１２ｂが選択され、第３７２ライン〜第５８６ラインの主画部では入力端２１０ａ、２１１ａ、２１２ａが選択され、第５８７ライン〜第６２２の下部無画部では入力端２１０ｂ、２１１ｂ、２１２ｂが選択される。
【０１９２】
このような制御の結果、無画部では、再生輝度信号Ｙがスイッチ回路２１０の入力端２１０ｂに供給されたディジタル値で‘１６’のレベルとすげ替えられ、スイッチ回路２１０の出力端から出力される。また、ヘルパー信号が挿入された再生色差信号ＣＢ  がスイッチ回路２１１の入力端２１１ｂに供給されたディジタル値で‘１２８’のレベルとすげ替えれ、再生色差信号ＣＲ  がスイッチ回路２１２の入力端２１２ｂに供給されたディジタル値で‘１２８’のレベルとすげ替えられ、スイッチ回路２１１、２１２の出力端からそれぞれ出力される。
【０１９３】
また、主画部においては、これらスイッチ回路２１０、２１１、２１２の入力端２１０ａ、２１１ａ、２１２ａにそれぞれ供給された再生輝度信号Ｙ、再生色差信号ＣＢ  、および再生色差信号ＣＲ  は、そのまま各スイッチ回路の出力端から出力される。
【０１９４】
一方、ヘルパーキラー機能がＯＦＦとされているときは、このラインカウンタ２２０のカウント値によるスイッチ回路２１０、２１１、２１２の制御が行なわれず、常に各スイッチ回路の入力端は、入力端２１０ａ、２１１ａ、２１２ａが選択される。それにより、各スイッチ回路に供給された再生輝度信号Ｙ、無画部の期間にヘルパー信号が挿入された再生色差信号ＣＢ  およびＣＲ  は、そのまま対応する各スイッチ回路の共通出力端に導出される。
【０１９５】
ヘルパーキラー回路２０９に含まれるスイッチ回路２１１の共通出力端に導出された再生色差信号ＣＢ  が出力端子２０６に供給される。また、スイッチ回路２１２の共通出力端に導出された再生色差信号ＣＲ  が出力端子２０７に供給される。
【０１９６】
ヘルパーキラー回路２０９に含まれるスイッチ回路２１０の共通出力端から再生輝度信号Ｙが出力され、この出力された再生輝度信号Ｙは、白レベルリファレンス回路２１７に含まれるスイッチ回路２１８に供給される。この白レベルリファレンス回路２１７は、ラインカウンタ２２０からのカウント値に基づき制御されるスイッチ回路２１８、およびレジスタ２１９によって構成されている。
【０１９７】
レジスタ２１９には、ディジタルＶＣＲ１００のデータ出力端子１１８からデータ入力端子２０４を介し、白１００％レベルのリファレンスデータが供給される。これは、上述したが、記録時に、図５に示すＴＲパックのＰＣ４に書き込まれた８ビットのデータであって、記録時に検出された白１００％レベルの値を表すデータである。このデータがレジスタ２１９に書き込まれる。
【０１９８】
この白レベルリファレンス回路２１７に含まれるスイッチ回路２１８において、ラインカウンタ２２０からのカウント値に基づき、第６２３ラインにおいて入力端２１８ｂが選択される。一方、この他のラインにおいては、入力端２１８ａが選択される。このようにスイッチ回路２１８が制御されることによって、第６２３ラインにおいて、再生輝度信号Ｙが白１００％レベルのリファレンスデータにすげ替えられる。
【０１９９】
なお、ＴＲパックデータのうち、白１００％のリファレンスデータであるＰＣ４のデータが（ＦＦｈ）、すなわち全てのビットが‘１’であった場合、上述したように、このリファレンスデータが記録時に書き込まれていなかったことを表している。この場合には、レジスタ２１７には、本来の白１００％のレベルである‘２３５’が書き込まれる。ディジタルＶＴＲにおいては再生データの信頼性が極めて高いため、このようにすることによって、記録時の白１００％のレベルの正確な復元がされない場合でもある程度の高画質が期待できる。
【０２００】
また、このレジスタ２１９には、モードコントロール入力端を介し、外部からモードコントロール信号の供給も可能とされる。レジスタ２１９にこのモードコントロール信号が供給されると、このレジスタ２１９に、例えば、強制的に‘２３５’の値が書き込まれるようにされている。
【０２０１】
この白レベルリファレンス回路２１７から出力された再生輝度信号Ｙは、出力端子２０５に供給される。
【０２０２】
ＰＡＬｐｌｕｓ再生側処理回路１５１の、出力端子２０５から出力された再生輝度信号Ｙ、出力端子２０６から出力された、無画部に期間にヘルパー信号が挿入された再生色差信号ＣＢ  、および出力端子２０７から出力された再生色差信号ＣＲ  は、Ｄ／Ａ変換器１５４ａ、１５４ｂ、１５４ｃにそれぞれ供給される。供給されたこれらの信号は、アナログ信号に変換され、再生輝度信号Ｙ、無画部にアナログ変換されたヘルパー信号が挿入された色差信号Ｂ−Ｙ、および色差信号Ｒ−Ｙとされ、ＰＡＬエンコーダ１５５にそれぞれ供給される。なお、このＤ／Ａ変換器を介した以降の信号は、アナログ信号として処理される。
【０２０３】
ＰＡＬエンコーダ１５５は、線順次化回路を含み、供給された再生色差信号Ｂ−ＹおよびＲ−Ｙが線順次化される。この線順次化された信号は、変調され搬送色信号Ｃとして出力される。この搬送色信号Ｃには、第２３ラインにヘルパーリファレンスバースト信号が挿入され、また、無画部にヘルパー信号が挿入されている。この搬送色信号Ｃは、Ｙ／Ｃ混合回路１５７に供給されると共に、Ｙ／Ｃ分離出力端１５８の出力端子１６０に供給される。
【０２０４】
また、再生輝度信号ＹがＰＡＬエンコーダ１５５から出力され、スイッチ回路１５６の入力端１５６ｂに供給される。また、上述したように、このスイッチ回路１５６の入力端１５６ａには、ＷＳＳエンコーダ１５２から出力された、ＷＳＳ信号およびリファレンス信号が第２３ラインとしての所定の位置に配された信号が供給されている。
【０２０５】
このスイッチ回路は、装置全体の制御のためのラインカウンタ（図示しない）からのカウント値によって制御され、第２３ラインにおいて入力端１５６ａが選択され、その他のラインにおいては入力端１５６ｂが選択される。したがって、ＰＡＬエンコーダ１５５から供給される再生輝度信号Ｙは、第２３ラインにおいて、ＷＳＳエンコーダ１５２から供給された、ＷＳＳ信号およびリファレンス信号とすげ替えられる。それにより、再生輝度信号Ｙは、ＷＳＳ信号が第２３ラインに挿入され、本来のＰＡＬｐｌｕｓ方式の信号とされる。
【０２０６】
このＷＳＳ信号が挿入された再生輝度信号Ｙは、スイッチ回路１５６の共通出力端からＹ／Ｃ混合回路１５７に供給される。また、この再生輝度信号Ｙは、Ｙ／Ｃ分離出力端１５８の出力端子１５９にも供給される。
【０２０７】
Ｙ／Ｃ混合回路１５７に供給された、再生輝度信号Ｙおよび色信号Ｃは、混合され、ＰＡＬｐｌｕｓ方式のコンポジットビデオ信号とされ、出力端子１６１に導出される。
【０２０８】
なお、以上の説明は、この発明を６２５本／５０Ｈｚ方式であるＰＡＬｐｌｕｓ方式に適用させた例であるが、これはこの例に限定されるものではない。この発明は、５２５本／６０Ｈｚ方式において、画像信号中に垂直解像度補強信号が挿入された、例えば、ＥＤＴＶ−ＩＩ方式にも適用可能なものである。
【０２０９】
また、この発明は、磁気テープに限らず、ディスク（再生専用ディスク、記録可能なディスク、書き換え可能なディスク）等の他の記録媒体を使用する場合に対しても適用できる。
【０２１０】
【発明の効果】
以上説明したように、この発明を用いることによって、ディジタルＶＣＲにＰＡＬｐｌｕｓ信号を、支障なく記録／再生することができる効果がある。
【０２１１】
この理由の一つとして、ＰＡＬｐｌｕｓ信号に含まれるヘルパー信号を、帯域幅の広い輝度信号Ｙの、無画部の期間に挿入させ、輝度信号Ｙとして記録するようにしたためである。
【０２１２】
また、別の理由として、ＷＳＳ信号をデコードし、ＴＲパックに書き込むようにしたためである。
【０２１３】
また、さらに別の理由として、白１００％のレベルのリファレンス信号が抽出され、ＴＲパックにその値を書き込むようにしたためである。
【０２１４】
また、そのため、白１００％のリファレンス信号が正確に復元可能となり、放送時に意図されたＰＡＬｐｌｕｓ方式の高画質の画像を忠実に再現することができる効果がある。
【０２１５】
さらに、記録時にこのリファレンスデータを保存しておかなかった場合、白１００％のリファレンスデータを（ＦＦｈ）と設定することによって、ディジタルＶＴＲのデータの信頼性により、ある程度の高画質の再現が期待できる効果がある。
【０２１６】
また、復調ヘルパー信号の記録レベルがＣＣＩＲで規定された値に正規化されているために、ヘルパー信号復調からＡ／Ｄ変換までの処理のための回路をＰＡＬデコーダと共有することが可能となり、回路増加を抑えられる効果があり、またそれにより、製造コストを低減できる効果がある。
【０２１７】
さらにまた、第２３ラインに挿入されているＷＳＳ信号がデコードされた後、この第２３ラインがミュートされるために、ＤＣＴによる画像圧縮を効率的に行なうことができる効果がある。
【０２１８】
また、再生ヘルパー信号がＹ／Ｃ分離出力端子の搬送色信号Ｃの出力端に出力されるため、Ｙ／Ｃ分離入力端子を有したテレビジョン受像機などで再生時に、ヘルパー機能がより有効に働く効果がある。
【図面の簡単な説明】
【図１】この発明による、ＰＡＬｐｌｕｓ信号を記録する際の全体の構成の例を示すブロック図である。
【図２】信号のディジタル化における正規化を模式的に示す略線図である。
【図３】ＰＡＬｐｌｕｓ記録側処理回路の構成の一例を示す略線図である。
【図４】ディジタルＶＣＲの記録側の構成の一例を示すブロック図である。
【図５】ＷＳＳデータおよび白１００％レベルのリファレンスデータがＴＲパックに記録された状態を示す略線図である。
【図６】記録テープ上に記録される各信号レベルの例を示す略線図である。
【図７】記録テープ上に記録される各信号レベルの例を示す略線図である。
【図８】記録テープ上に記録される各信号レベルの例を示す略線図である。
【図９】ディジタルＶＣＲの再生側の構成の一例を示すブロック図である。
【図１０】この発明による、ＰＡＬｐｌｕｓ信号を再生する際の全体の構成の例を示すブロック図である。
【図１１】ＰＡＬｐｌｕｓ再生側処理回路の構成の一例を示す略線図である。
【図１２】テープのトラックフォーマットを示す略線図である。
【図１３】テープのトラックフォーマットを示す略線図である。
【図１４】テープのトラックフォーマットを示す略線図である。
【図１５】アプリケーションＩＤの階層構造を示す略線図である。
【図１６】テープのトラックフォーマットを示す略線図である。
【図１７】パックの構造を示す略線図である。
【図１８】ヘッダの階層構造を示す略線図である。
【図１９】ＴＲパックのデータ構造を示す略線図である。
【図２０】テープのトラックフォーマットを示す略線図である。
【図２１】プリシンクおよびポストシンクの構成を示す略線図である。
【図２２】テープのトラックフォーマットを示す略線図である。
【図２３】テープのトラックフォーマットを示す略線図である。
【図２４】テープのトラックフォーマットを示す略線図である。
【図２５】テープのトラックフォーマットを示す略線図である。
【図２６】テープのトラックフォーマットを示す略線図である。
【図２７】テープのトラックフォーマットを示す略線図である。
【図２８】テープのトラックフォーマットを示す略線図である。
【図２９】現行のテレビジョンとＰＡＬｐｌｕｓ方式のテレビジョンの画面を示す略線図である。
【図３０】ＰＡＬｐｌｕｓ信号を示す略線図である。
【図３１】ＰＡＬｐｌｕｓ信号を示す略線図である。
【図３２】ＷＳＳ信号を示す略線図である。
【図３３】白１００％レベルのリファレンス信号を示す略線図である。
【図３４】ＰＡＬｐｌｕｓ信号における伝送信号のラインおよび画素割り当ての詳細を示す略線図である。
【図３５】ＰＡＬｐｌｕｓ信号を示す略線図である。
【符号の説明】
３  ＷＳＳ検出回路
６  ＰＡＬｐｌｕｓ記録側処理回路
８  ＰＡＬデコーダ
９ａ、９ｂ、９ｃ  Ａ／Ｄ変換器
２１  ヘルパーキラー回路
２９  ミュート回路
１５１  ＰＡＬｐｌｕｓ再生側処理回路
１５５  ＰＡＬエンコーダ
１５８  Ｙ／Ｃ分離出力端
２０９  ヘルパーキラー回路
２１７  白レベルリファレンス回路
【図１】
0003624468.tif 000002
【図２】
0003624468.tif 000003
【図３】
0003624468.tif 000004
【図４】
0003624468.tif 000005
【図５】
0003624468.tif 000006
【図６】
0003624468.tif 000007
【図７】
0003624468.tif 000008
【図８】
0003624468.tif 000009
【図９】
0003624468.tif 000010
【図１０】
0003624468.tif 000011
【図１１】
0003624468.tif 000012
【図１２】
0003624468.tif 000013
【図１３】
0003624468.tif 000014
【図１４】
0003624468.tif 000015
【図１５】
0003624468.tif 000016
【図１６】
0003624468.tif 000017
【図１７】
0003624468.tif 000018
【図１８】
0003624468.tif 000019
【図１９】
0003624468.tif 000020
【図２０】
0003624468.tif 000021
【図２１】
0003624468.tif 000022
【図２２】
0003624468.tif 000023
【図２３】
0003624468.tif 000024
【図２４】
0003624468.tif 000025
【図２５】
0003624468.tif 000026
【図２６】
0003624468.tif 000027
【図２７】
0003624468.tif 000028
【図２８】
0003624468.tif 000029
【図２９】
0003624468.tif 000030
【図３５】
0003624468.tif 000031
【図３０】
0003624468.tif 000032
【図３１】
0003624468.tif 000033
【図３２】
0003624468.tif 000034
【図３３】
0003624468.tif 000035
【図３４】
0003624468.tif 000036